(57)【要約】【課題】輝度の低下を抑制する表示装置を提供する。【解決手段】表示装置１は、複数の画素を有する画像表示パネル３０と、画像表示パネル３０の背面３０ｓ側に設けられる光源部５０と、画像表示パネル３０と光源部５０との間に設けられ、光源部５０側の下配向膜８９、マトリクス状に配置された複数の第１電極、下配向膜８９と対向して下配向膜８９よりも画像表示パネル３０側に設けられる上配向膜７４、第２電極、及び液晶層を有し、第１電極と第２電極との間に印加された電圧により、光源部から照射された光を、液晶層内で、透過率を変更しつつ画像表示パネル３０の背面３０ｓ側に透過可能に構成される調光パネル８０と、調光パネル８０と光源部５０との間に設けられる下偏光板５２と、を有し、下偏光板５２の透過軸は、下配向膜８９の初期配向方向と平行でなく、かつ、直交しない方向に沿っている。【選択図】図１１
2020052363.tif 000002
【特許請求の範囲】
【請求項１】
複数の画素を有する画像表示パネルと、
前記画像表示パネルの背面側に設けられる光源部と、
前記画像表示パネルと前記光源部との間に設けられ、前記光源部側の下配向膜、マトリクス状に配置された複数の第１電極、前記下配向膜と対向して前記下配向膜よりも前記画像表示パネル側に設けられる上配向膜、第２電極、及び液晶層を有し、前記第１電極と前記第２電極との間に印加された電圧により、前記光源部から照射された光を、前記液晶層内で、透過率を変更しつつ前記画像表示パネルの背面側に透過可能に構成される調光パネルと、
前記調光パネルと前記光源部との間に設けられる下偏光板と、を有し、
前記下偏光板の透過軸は、前記下配向膜の初期配向方向と平行でなく、かつ、直交しない方向に沿っている、
表示装置。
【請求項２】
前記下偏光板の透過軸は、所定の方向に沿った基準軸に対して、時計回り及び反時計回りのうちの一方側に傾いており、前記下配向膜の初期配向方向は、前記基準軸に対して、時計回り及び反時計回りのうちの他方側に傾いている、請求項１に記載の表示装置。
【請求項３】
前記上配向膜の初期配向方向は、前記基準軸に直交する基準直交軸に対して、時計回り及び反時計回りのうちの前記一方側に傾いている、請求項２に記載の表示装置。
【請求項４】
前記下配向膜の初期配向方向と前記上配向膜の初期配向方向とは、前記液晶層内の液晶素子が、前記第１電極と前記第２電極とに電圧が印加されない状態で、前記下偏光板側から前記画像表示パネル側に向かうに従って、時計回り及び反時計回りのうちの前記一方側に捻じれるよう設定されている、請求項２又は請求項３に記載の表示装置。
【請求項５】
前記調光パネルと前記画像表示パネルとの間に設けられる中偏光板と、
前記画像表示パネルの前記背面の反対側の前面側に設けられる上偏光板と、
をさらに有する、請求項２から請求項４のいずれか１項に記載の表示装置。
【請求項６】
前記中偏光板の透過軸は、前記基準軸に直交する基準直交軸に沿っている、請求項５に記載の表示装置。
【請求項７】
前記画像表示パネルの初期配向方向は、前記基準軸に直交する基準直交軸に沿っており、前記上偏光板の透過軸は、前記基準軸に沿っている、請求項５に記載の表示装置。
【請求項８】
前記中偏光板の透過軸は、前記基準軸に直交する基準直交軸に対して、時計回り及び反時計回りのうちの前記他方側に傾いている、請求項５に記載の表示装置。
【請求項９】
前記画像表示パネルの初期配向方向は、前記基準軸に直交する基準直交軸に対して、時計回り及び反時計回りのうちの前記他方側に傾いており、前記上偏光板の透過軸は、前記基準軸に対して、時計回り及び反時計回りのうちの前記一方側に傾いている、請求項５に記載の表示装置。
【請求項１０】
前記中偏光板の透過軸は、前記基準軸に直交する基準直交軸に対して、時計回り及び反時計回りのうちの前記一方側に傾いている、請求項５に記載の表示装置。
【請求項１１】
前記画像表示パネルの初期配向方向は、前記基準軸に直交する基準直交軸に対して、時計回り及び反時計回りのうちの前記一方側に傾いており、前記上偏光板の透過軸は、前記基準軸に対して、時計回り及び反時計回りのうちの前記他方側に傾いている、請求項５に記載の表示装置。
【発明の詳細な説明】
【技術分野】
【０００１】
本発明は、表示装置に関する。
【背景技術】
【０００２】
液晶表示装置は、液晶層を有する画像表示パネルにバックライトからの光を照射させ、液晶層を透過した光により画像を表示するものがある。このような液晶表示装置は、コントラスト比の向上が求められる。例えば特許文献１には、２枚の液晶パネルを重畳させることで、コントラスト比を向上させる旨が記載されている。
【先行技術文献】
【特許文献】
【０００３】
【特許文献１】特許第４８７８０３２号公報
【発明の概要】
【発明が解決しようとする課題】
【０００４】
しかし、２枚の液晶パネルを重畳させた場合、バックライトからの光は２枚の液晶パネルを通過することとなるため、光の透過量が少なくなり、輝度が低下するおそれがある。
【０００５】
本発明は、上記の課題に鑑みてなされたもので、輝度の低下を抑制する表示装置を提供することを目的とする。
【課題を解決するための手段】
【０００６】
本発明の一態様による表示装置は、複数の画素を有する画像表示パネルと、前記画像表示パネルの背面側に設けられる光源部と、前記画像表示パネルと前記光源部との間に設けられ、前記光源部側の下配向膜、マトリクス状に配置された複数の第１電極、前記下配向膜と対向して前記下配向膜よりも前記画像表示パネル側に設けられる上配向膜、第２電極、及び液晶層を有し、前記第１電極と前記第２電極との間に印加された電圧により、前記光源部から照射された光を、前記液晶層内で、透過率を変更しつつ前記画像表示パネルの背面側に透過可能に構成される調光パネルと、前記調光パネルと前記光源部との間に設けられる下偏光板と、を有し、前記下偏光板の透過軸は、前記下配向膜の初期配向方向と平行でなく、かつ、直交しない方向に沿っている。
【図面の簡単な説明】
【０００７】
【図１】図１は、第１実施形態に係る表示装置の主要構成例を示す図である。
【図２】図２は、信号処理部の機能構成例を示すブロック図である。
【図３】図３は、第１実施形態に係る表示装置の積層構成を示す図である。
【図４】図４は、画像表示パネルの画素配列の一例を示す図である。
【図５】図５は、画像表示パネルの概略断面構造の一例を示す断面図である。
【図６】図６は、表示領域と表示分割領域との関係の一例を示す図である。
【図７】図７は、光源部の主要構成の一例を示す図である。
【図８】図８は、調光部の主要構成の一例を示す図である。
【図９】図９は、調光パネルの概略断面構造の一例を示す断面図である。
【図１０】図１０は、信号処理部の処理の流れの一例を示すフローチャートである。
【図１１】図１１は、第１実施形態に係る透過軸方向と初期配向方向とを説明する模式図である。
【図１２】図１２は、第１実施形態における透過軸方向及び初期配向方向の関係を示す図である。
【図１３】図１３は、第１実施形態に係る表示装置の輝度の一例を示すグラフである。
【図１４】図１４は、第１実施形態に係る表示装置のコントラストの一例を示すグラフである。
【図１５】図１５は、第１変形例に係る透過軸方向と初期配向方向とを説明する模式図である。
【図１６】図１６は、第１変形例における透過軸方向及び初期配向方向の関係を示す図である。
【図１７】図１７は、第１変形例に係る表示装置の輝度の一例を示すグラフである。
【図１８】図１８は、第１変形例に係る表示装置のコントラストの一例を示すグラフである。
【図１９】図１９は、第２実施形態に係る透過軸方向と初期配向方向とを説明する模式図である。
【図２０】図２０は、第２実施形態における透過軸方向及び初期配向方向の関係を示す図である。
【図２１】図２１は、第２実施形態に係る表示装置の輝度の一例を示すグラフである。
【図２２】図２２は、第２実施形態に係る表示装置のコントラストの一例を示すグラフである。
【図２３】図２３は、第２変形例に係る透過軸方向と初期配向方向とを説明する模式図である。
【図２４】図２４は、第２変形例における透過軸方向及び初期配向方向の関係を示す図である。
【図２５】図２５は、第２変形例に係る表示装置の輝度の一例を示すグラフである。
【図２６】図２６は、第２変形例に係る表示装置のコントラストの一例を示すグラフである。
【図２７】図２７は、第３実施形態に係る透過軸方向と初期配向方向とを説明する模式図である。
【図２８】図２８は、第３実施形態における透過軸方向及び初期配向方向の関係を示す図である。
【図２９】図２９は、第３実施形態に係る表示装置の輝度の一例を示すグラフである。
【図３０】図３０は、第３実施形態に係る表示装置のコントラストの一例を示すグラフである。
【図３１】図３１は、第３変形例に係る透過軸方向と初期配向方向とを説明する模式図である。
【図３２】図３２は、第３変形例における透過軸方向及び初期配向方向の関係を示す図である。
【図３３】図３３は、第３変形例に係る表示装置の輝度の一例を示すグラフである。
【図３４】図３４は、第３変形例に係る表示装置のコントラストの一例を示すグラフである。
【発明を実施するための形態】
【０００８】
以下に、本発明の各実施形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（第１実施形態）
（表示装置の主要構成）
図１は、第１実施形態に係る表示装置の主要構成例を示す図である。図１に示すように、第１実施形態の表示装置１は、信号処理部１０、表示部２０、光源部５０及び調光部７０を備える。信号処理部１０は、外部の制御装置２から入力される入力信号ＩＰに基づいた各種の出力を行う。入力信号ＩＰは、表示装置１に画像を表示出力させるためのデータとして機能する信号であり、例えばＲＧＢ画像信号である。信号処理部１０は、入力信号ＩＰに基づいて生成された出力画像信号ＯＰを表示部２０に出力する。また、信号処理部１０は、入力信号ＩＰに基づいて生成されたローカルディミング信号ＤＩを調光部７０に出力する。また、信号処理部１０は、入力信号ＩＰが入力されると、光源部５０を動作させる光源駆動信号ＢＬを光源部５０に出力する。
【００１０】
図２は、信号処理部の機能構成例を示すブロック図である。信号処理部１０は、例えばＦＰＧＡ（Field-Programmable  Gate  Array）のような集積回路である。信号処理部１０は、例えば、画像解析部１１、調光制御部１２、調光バッファ１３、補正部１４、画像バッファ１５、同期部１６及び光源制御部１７を有する。信号処理部１０は、入力信号ＩＰに基づいて、集積回路に実装されたこれらの機能に応じた各種の処理を行う。
【００１１】
表示部２０は、画像表示パネル３０及び画像表示パネル駆動部４０を有する。画像表示パネル３０は、複数の画素４８を有するパネルであり、さらに言えば、複数の画素４８が設けられた表示領域ＯＡを有する。複数の画素４８は、例えばマトリクス状に配置されている。第１実施形態の画像表示パネル３０は、液晶画像表示パネルである。第１信号出力部としての画像表示パネル駆動部４０は、信号出力回路４１及び走査回路４２を有する。信号出力回路４１は、出力画像信号ＯＰに応じて複数の画素４８を駆動する。走査回路４２は、マトリクス状に配置された複数の画素４８を所定行（例えば、１行）単位で走査する駆動信号を出力する。画素４８は、駆動信号が出力されたタイミングで出力画像信号ＯＰに応じた階調値の出力が行われるよう駆動される。
【００１２】
光源部５０は、画像表示パネル３０の表示領域ＯＡに向けて光を照射する光源装置である。調光部７０は、光源部５０から照射されて表示領域ＯＡを経て出力される光量を調節する。調光部７０は、調光パネル８０及び回路部９０を有する。調光パネル８０は、表示領域ＯＡを平面視した場合に、すなわち後述のＺ方向から表示装置を見た場合に、表示領域ＯＡに重畳する位置に配置されて光の透過率を変更可能に設けられた調光領域ＤＡを有する。回路部９０は、調光領域ＤＡによる光の透過率を制御する。
【００１３】
図３は、第１実施形態に係る表示装置の積層構成を示す図である。図３に示すように、第１実施形態に係る表示装置１は、光源部５０、調光パネル８０、及び画像表示パネル３０が、重畳方向であるＺ方向に沿って、この順で重畳、すなわち積層されている。具体的には、光源部５０の前面側（上側）の表面であり光が出射される側の表面である照射面５０ｓ側に、調光パネル８０が積層されている。また、調光パネル８０を挟んで光源部５０の反対側に、画像表示パネル３０が積層されている。言い換えれば、光源部５０は、画像表示パネル３０の前面３０ｔと反対側の表面である背面３０ｓ側に設けられ、調光パネル８０は、Ｚ方向において光源部５０と画像表示パネル３０との間に設けられている。光源部５０の照射面５０ｓからＺ方向に向けて出射された光は、調光パネル８０の調光領域ＤＡに入射する。調光パネル８０は、調光領域ＤＡに入射した光を、画像表示パネル３０の背面３０ｓ側に、光の透過率、すなわち光量を変更可能に透過する。調光パネル８０から透過された光は、画像表示パネル３０の背面３０ｓに入射して画像表示パネル３０内を透過し、背面３０ｓと反対側の前面３０ｔから出射される。これにより、画像表示パネル３０は、前面３０ｔ側に画像を表示出力する。このように、光源部５０は、画像表示パネル３０の表示領域ＯＡを背面から照明するバックライトとして機能する。以下、Ｚ方向に直交する２方向をＸ方向及びＹ方向とする。Ｘ方向とＹ方向とは直交する。複数の画素４８は、Ｘ方向とＹ方向とに沿ってマトリクス状に並ぶ。なお、Ｚ方向において、光源部５０に対して上偏光板５８の位置を上側（前面側）、上偏光板５８に対して光源部５０の位置を下側（背面側）とする。
【００１４】
画像表示パネル３０は、アレイ基板３０ａと、アレイ基板３０ａに対して前面３０ｔ側（上側）に位置してアレイ基板３０ａとＺ方向で対向する対向基板３０ｂと、を有する。後述するように、アレイ基板３０ａと対向基板３０ｂとの間には、液晶層ＬＣ１が配置されている（図５参照）。また、調光パネル８０は、第１基板８０ａと、第１基板８０ａに対して画像表示パネル３０側に位置して第１基板８０ａと対向する第２基板８０ｂと、を有する。後述するように、第１基板８０ａと第２基板８０ｂとの間には、液晶層ＬＣ２が配置されている（図９参照）。
【００１５】
さらに詳しくは、図３に示すように、第１実施形態に係る表示装置１は、光源部５０、下偏光板５２、調光パネル８０、中偏光板５４、接着層５６、画像表示パネル３０、上偏光板５８が、Ｚ方向に向かってこの順で積層（重畳）されている。すなわち、下偏光板５２は、光源部５０と調光パネル８０との間に設けられ、中偏光板５４は、調光パネル８０と画像表示パネル３０との間に設けられ、上偏光板５８は、画像表示パネル３０の前面３０ｔ側、すなわち画像表示パネル３０の上側に設けられる。下偏光板５２、中偏光板５４、及び上偏光板５８は、入射された光のうち、予め定められた方向に振動する成分の光を透過し、その方向以外に振動する成分の光を遮断する偏光板である。
【００１６】
接着層５６は、調光パネル８０と画像表示パネル３０との間に設けられ、調光パネル８０と画像表示パネル３０とを接着する。接着層５６は、光を透過可能な透明部材で構成されており、本実施形態では、光学弾性樹脂、すなわちＳＶＲ（Super  View  Resin）である。接着層５６は、第１実施形態では、中偏光板５４と画像表示パネル３０との間に設けられているが、調光パネル８０と画像表示パネル３０との間に設けられていればよく、例えば、調光パネル８０と中偏光板５４との間に設けられていてもよい。また、調光パネル８０と画像表示パネル３０との間、より具体的には、中偏光板５４と画像表示パネル３０との間に、光を拡散する拡散板を設けてもよい。拡散板を設けることで、モアレを低減することができる。
【００１７】
（画像表示パネル）
次に、画像表示パネル３０の構成について説明する。図４は、画像表示パネルの画素配列の一例を示す図である。図４に例示するように、画素４８は、例えば、第１副画素４９Ｒと、第２副画素４９Ｇと、第３副画素４９Ｂと、第４副画素４９Ｗとを有する。第１副画素４９Ｒは、第１原色（例えば、赤色）を表示する。第２副画素４９Ｇは、第２原色（例えば、緑色）を表示する。第３副画素４９Ｂは、第３原色（例えば、青色）を表示する。第４副画素４９Ｗは、第４の色（具体的には白色）を表示する。このように、画像表示パネル３０に行列状に配列された画素４８は、第１の色を表示する第１副画素４９Ｒ、第２の色を表示する第２副画素４９Ｇ、第３の色を表示する第３副画素４９Ｂ及び第４の色を表示する第４副画素４９Ｗを含む。第１の色、第２の色、第３の色及び第４の色は、第１原色、第２原色、第３原色及び白色に限られず、補色など色が異なっていればよい。また、画素４８は、第４副画素４９Ｗを有さず、第１副画素４９Ｒ、第２副画素４９Ｇ、第３副画素４９Ｂの３つの副画素のみを有してもよい。第４の色を表示する第４副画素４９Ｗは、同じ光源点灯量で照射された場合、第１の色を表示する第１副画素４９Ｒ、第２の色を表示する第２副画素４９Ｇ、第３の色を表示する第３副画素４９Ｂよりも明るいことが好ましい。以下の説明において、第１副画素４９Ｒと、第２副画素４９Ｇと、第３副画素４９Ｂと、第４副画素４９Ｗとをそれぞれ区別する必要がない場合、副画素４９という。
【００１８】
表示装置１は、より具体的には、透過型のカラー液晶表示装置である。図４に例示するように、画像表示パネル３０は、カラー液晶表示パネルであり、第１副画素４９Ｒと画像観察者との間に第１原色を通過させる第１カラーフィルタが配置され、第２副画素４９Ｇと画像観察者との間に第２原色を通過させる第２カラーフィルタが配置され、第３副画素４９Ｂと画像観察者との間に第３原色を通過させる第３カラーフィルタが配置されている。また、画像表示パネル３０は、第４副画素４９Ｗと画像観察者との間にカラーフィルタが配置されていない。この場合には、第４副画素４９Ｗに大きな段差が生じることとなる。このため、第４副画素４９Ｗには、カラーフィルタの代わりに透明な樹脂層が備えられていてもよい。これにより、第４副画素４９Ｗに大きな段差が生じることを抑制することができる。
【００１９】
信号出力回路４１は、信号線ＤＴＬによって画像表示パネル３０と電気的に接続されている。画像表示パネル駆動部４０は、走査回路４２によって、画像表示パネル３０における副画素４９を選択し、副画素４９の動作（光透過率）を制御するためのスイッチング素子（例えば、薄膜トランジスタ（ＴＦＴ：Thin  Film  Transistor））のオン（ＯＮ）及びオフ（ＯＦＦ）を制御する。走査回路４２は、走査線ＳＣＬによって画像表示パネル３０と電気的に接続されている。実施形態１では、走査線ＳＣＬがＸ方向に沿い、信号線ＤＴＬがＹ方向に沿っているが、これは走査線ＳＣＬ及び信号線ＤＴＬの延設方向の一例であってこれに限られるものでなく、適宜変更可能である。
【００２０】
図５は、画像表示パネルの概略断面構造の一例を示す断面図である。図５に示すように、画像表示パネル３０は、アレイ基板３０ａと対向基板３０ｂとが、Ｚ方向に沿ってこの順で積層されており、アレイ基板３０ａと対向基板３０ｂとの間に、複数の液晶素子ＬＣが含まれる液晶層ＬＣ１が設けられている。アレイ基板３０ａは、基板２１と、絶縁膜２２ａ、２２ｂ、２２ｃ、２２ｄ、スイッチング素子２４、対向電極２６、画素電極２８、及び下配向膜２９を有する。対向基板３０ｂは、基板３１と、上配向膜３２とを有している。スイッチング素子２４は、チャネル２４ａ、ソース２４ｂ、ゲート２４ｃ、及びドレイン２４ｄを有する。以下、画像表示パネル３０の積層構造について説明する。
【００２１】
アレイ基板３０ａは、基板２１、絶縁膜２２ａ、絶縁膜２２ｂ、絶縁膜２２ｃ、対向電極２６、絶縁膜２２ｄ、画素電極２８、下配向膜２９が、Ｚ方向に向けてこの順で積層（重畳）されている。基板２１は、ガラス基板やフィルム基板などの基板である。基板２１上には、スイッチング素子２４のチャネル２４ａ（アイランド）が設けられている。絶縁膜２２ａは、基板２１上であって、チャネル２４ａ上に接して設けられる。また、絶縁膜２２ａ上であって、チャネル２４ａと重畳する位置には、スイッチング素子２４のゲート２４ｃが設けられている。絶縁膜２２ｂは、絶縁膜２２ａ上であって、ゲート２４ｃ上に接して設けられる。また、絶縁膜２２ｂ上であって、チャネル２４ａと重畳する位置には、スイッチング素子２４のソース２４ｂ及びドレイン２４ｄが設けられている。ソース２４ｂ及びドレイン２４ｄは、一部が、絶縁膜２２ｂ、２２ａを貫通して、チャネル２４ａに接続されている。絶縁膜２２ｃは、絶縁膜２２ｂ上であって、ソース２４ｂ及びドレイン２４ｄ上に接して設けられる。なお、ゲート２４ｃは、チャネル２４ａに対して基板と反対側に配置されており、所謂トップゲートの構成を例に挙げたが、これに限られない。例えば、ゲート２４ｃは絶縁膜を介して、チャネル２４ａと基板との間に配置されているボトムゲートの構成を取ってもよい。対向電極２６は、画素電極２８に対向して配置される電極であって、本実施形態においては、画像表示パネル３０の表示領域ＯＡ内において、１つ設けられる共通電極である。なお、対向電極２６は、表示領域ＯＡ内でＸ方向又はＹ方向に延在するブロック状の複数の電極で構成されてもよい。絶縁膜２２ｄは、対向電極２６上に設けられる。副画素４９を構成する画素電極２８は、絶縁膜２２ｄ上に設けられ、表示領域ＯＡ内において、マトリクス状に複数設けられる。それぞれの画素電極２８は、Ｙ方向に向けて延在する溝状の開口が複数設けられた形状となっており、言い換えれば、Ｙ方向に向けて延在する櫛歯を構成する複数の帯状電極を有する構成となっている。なお、絶縁膜２２ａ、２２ｂ、２２ｃ、２２ｄは、例えば、シリコン窒化膜（ＳｉＮｘ）などの絶縁性部材で構成されている。また、対向電極２６及び画素電極２８は、例えば、酸化インジウムスズ（Indium  Tin  Oxide：ＩＴＯ）などで構成される透明電極である。また、本実施形態では、画素電極２８と基板２１との間に対向電極２６が配置されるが、これに限らない。例えば、対向電極２６と基板２１との間に画素電極２８が配置されてもよいし、対向電極２６と画素電極２６とは同層に配置されてもよい。
【００２２】
下配向膜２９は、アレイ基板３０ａの最も前面側に設けられ、言い換えれば、画素電極２８及び絶縁膜２２ｄ上に設けられる。すなわち、下配向膜２９は、アレイ基板３０ａの液晶層ＬＣ１側の表面となる。対向電極２６と画素電極２８との間に電界（電圧）が印加されていない状態において、液晶層ＬＣ１内の液晶素子ＬＣは、下配向膜２９に付与された初期配向方向に応じて配向する。すなわち、初期配向方向とは、対向電極２６と画素電極２８との間に電界（電圧）が印加されていない状態において、下配向膜２９が液晶素子ＬＣを配向させる方向である。例えば、下配向膜２９は、液晶層ＬＣ１側の表面にラビングが施されることで、液晶層ＬＣ１側の表面に、一方向、すなわちラビング方向に沿った複数の溝が形成される。下配向膜２９の近傍の液晶素子ＬＣは、このラビング方向に沿って配向するため、ラビング方向が、初期配向方向であるといえる。下配向膜２９は、例えばポリイミド（Polyimide：ＰＩ）系の配向膜材料にラビング処理を施したものであってよい。ただし、下配向膜２９は、ラビング以外の処理によって、液晶素子ＬＣを初期配向方向に配向可能に構成されていてもよい。例えば、下配向膜２９は、光配向膜であってもよい。なお、下配向膜２９は、アレイ基板３０ａに設けられた配向膜であるため、下配向膜２９の初期配向方向が、アレイ基板３０ａ、すなわち、画像表示パネル３０の背面側（前面側と反対側）の基板の初期配向方向となる。
【００２３】
対向基板３０ｂは、上配向膜３２、基板３１が、Ｚ方向に向けてこの方向で積層（重畳）されている。上配向膜３２は、対向基板３０ｂの液晶層ＬＣ１側の表面となる。対向電極２６と画素電極２８との間に電圧が印加されていない状態において、液晶層ＬＣ１内の液晶素子ＬＣは、上配向膜３２に付与された初期配向方向に配向応じて配向する。上配向膜３２の初期配向方向は、下配向膜２９の初期配向方向と平行であり、さらに具体的には、下配向膜２９の初期配向方向と同一方向であることが好ましいが、初期配向方向については後述する。上配向膜３２は、下配向膜２９と同様に、ラビング処理によって液晶素子ＬＣを初期配向方向に配向可能であってもよいし、光配向等の他の処理によって液晶素子ＬＣを初期配向方向に配向可能であってもよい。なお、上配向膜３２は、下配向膜２９と対向して、下配向膜２９よりも画像表示パネル３０の前面３０ｔ側（上側）に設けられる配向膜といえる。また、上配向膜３２は、対向基板３０ｂ側に設けられた配向膜であるため、上配向膜３２の初期配向方向が、対向基板３０ｂ、すなわち、画像表示パネル３０の上側（前面側）の基板の初期配向方向となる。また、基板３１は、例えばガラス基板やフィルム基板等の基板であり、対向基板３０ｂの最も上側の表面を形成する。
【００２４】
液晶素子ＬＣは、印加される電界（電圧）に応じて、配向方向が変化する。液晶層ＬＣ１は、電界の状態に応じて液晶層ＬＣ１内部を通過する光を変調するものである。液晶素子ＬＣの方向が、画素電極２８と対向電極２６との間で印加される電界（ここでは横電界）によって変化し、液晶層ＬＣ１を通過する光の透過量が変化する。言い換えれば、液晶素子ＬＣは、画素電極２８と対向電極２６との間に電界が印加されていない状態では、下配向膜２９及び上配向膜３２に規定された初期配向方向に基づき配向している。そして、液晶素子ＬＣは、画素電極２８と対向電極２６との間に電界が印加されることで、印加された電界の強さに応じた配向方向を向く。なお、複数の副画素４９はそれぞれ、画素電極２８を有する。複数の副画素４９の動作（光透過率）を個別に制御するための複数のスイッチング素子２４は、画素電極２８とそれぞれ電気的に接続されている。
【００２５】
このように、本実施形態に係る画像表示パネル３０は、横電界型の液晶表示パネルであり、さらに言えば、ＦＦＳ（Fringe  Field  Switching）型の液晶表示パネルである。ただし、画像表示パネル３０は、ＦＦＳ型に限られず、任意の型の液晶表示パネルであってよい。例えば、画像表示パネル３０は、横電界型のＩＰＳ（In  Plane  Switching）型の液晶表示パネルであってもよいし、縦電界型の液晶表示パネルであってもよい。例えば、画像表示パネル３０は、縦電界型のＶＡ（Vertical  Alignment）型の液晶表示パネルであってもよいし、縦電界型のＴＮ（Twisted  Nematic）型の液晶表示パネルであってもよい。なお、縦電界型の液晶表示パネルの場合は、対向電極２６が対向基板３０ｂに配置される。
【００２６】
図６は、表示領域と表示分割領域との関係の一例を示す図である。画像表示パネル３０の表示領域ＯＡは、複数の表示分割領域ＰＡを有する。複数の表示分割領域ＰＡの全てを合わせた領域が表示領域ＯＡである。図６に示す表示領域ＯＡは、Ｘ方向に沿って設定されたｘ１，ｘ２，…，ｘ９の座標とＹ方向に沿って設定されたｙ１，ｙ２，ｙ３，ｙ４の座標の組み合わせに対応した計３６の座標の各々に対応する位置に個別に設けられた表示分割領域ＰＡを有する。なお、表示領域ＯＡに含まれる表示分割領域ＰＡの数は３６に限らず、２つ以上の表示分割領域ＰＡが含まれればよい。また、表示領域ＯＡは、ＸＹ方向方向の両方に沿って分割された表示分割領域ＰＡを有するが、これに限らず、Ｘ方向及びＹ方向のいずれか一方に沿ってのみ分割された表示分割領域ＰＡを有してもよい。表示領域ＯＡが有する表示分割領域ＰＡの数及び配置は、後述する調光パネル８０が有する第１電極８１の数及び配置に対応している。表示分割領域ＰＡの各々には、１以上の画素４８が配置されている。
【００２７】
（光源部）
次に、光源部５０の構成について説明する。図７は、光源部の主要構成の一例を示す図である。光源部５０は、表示領域ＯＡを平面視した場合に表示領域ＯＡの側方に位置するサイドライトを有する。図７に示す例では、Ｘ−Ｙ平面視で表示領域ＯＡに対応する位置に設けられた導光板ＬＡに対して、Ｙ方向の両端側でＸ方向に沿って並ぶ複数の光源５１が設けられている。なお、光源５１は、導光板ＬＡに対してＹ方向の一方端側のみに配置されてもよい。光源５１は、例えば白色光を発する発光ダイオード（ＬＥＤ：Light  Emitting  Diode）であるが、これに限られるものでなく、適宜変更可能である。光源５１からの光は、導光板ＬＡに導かれて表示領域ＯＡ全体を背面３０ｓ側から照明する。図７では、Ｙ方向の一端側及び他端側の各々でＸ方向に沿って一列に並ぶ光源５１の数が９であり、計１８の光源５１が配置されているが、これは光源５１の数及び配置の一例であってこれに限られるものでなく、適宜変更可能である。例えば、光源部５０は、平面視した場合に表示領域ＯＡの直下に設けられたＬＥＤ等の光源を有する所謂直下型バックライトであってもよい。
【００２８】
図７では、導光板ＬＡと表示領域ＯＡとの対応関係を示す目的で、複数の表示分割領域ＰＡの各々の座標に対応する複数の光源領域ＧＡを模式的に示している。光源５１が点灯する場合、導光板ＬＡによって光が誘導されることで、複数の光源領域ＧＡの各々は、略同一の光量を各々の位置に対応する表示分割領域ＰＡの背面側から照射する。すなわち、第１実施形態の光源部５０は、複数の表示分割領域ＰＡの各々で必要とされる光量に対応した光量の制御を行わず、所定の出力で発光する。複数の表示分割領域ＰＡの各々で必要とされる光量に対応した光量の制御に関する機能は、調光部７０が有する。
【００２９】
（調光部）
次に、調光部について説明する。図８は、調光部の主要構成の一例を示す図である。図８に示すように、調光パネル８０は、調光領域ＤＡに設けられた複数の第１電極８１を有する。第１電極８１は、Ｘ方向及びＹ方向にマトリクス状に配置されている。図８に示す調光パネル８０は、Ｘ方向に沿って設定されたｘ１，ｘ２，…，ｘ９の座標とＹ方向に沿って設定されたｙ１，ｙ２，ｙ３，ｙ４の座標の組み合わせに対応した計３６の座標の各々に対応する位置に個別に設けられた第１電極８１を有する。複数の第１電極８１の各々は、配線８６を介して回路部９０と接続されている。第２信号出力部としての回路部９０は、ローカルディミング信号ＤＩに応じて第１電極８１の電位を個別に制御することで、第１電極８１が個別に設けられた複数の領域ＬＤの各々における光の透過率を個別に制御する。このように、調光領域ＤＡは、個別に光の透過率を制御可能な複数の領域ＬＤに分割される。ここで、上述した表示分割領域ＰＡの数及び配置は、第１電極８１の数及び配置に対応していることから、複数の表示分割領域ＰＡの各々の位置は、複数の領域ＬＤの各々の位置に対応していることになる。なお、表示分割領域ＰＡと同様に、調光領域ＤＡに含まれる領域ＬＤの数は３６に限らず、２つ以上の領域ＬＤが含まれればよい。また、調光領域ＤＡは、Ｘ方向及びＹ方向の両方に沿って配置された領域ＬＤを有するが、これに限らず、Ｘ方向及びＹ方向のいずれか一方に沿ってのみ配置された領域ＬＤを有してもよい。調光領域ＤＡは、平面視で表示領域ＯＡ全体をカバーするように設けられ、導光板ＬＡに導かれて表示領域ＯＡ全体を背面側から照明する光の透過率を複数の領域ＬＤの各々で個別に制御可能に設けられている。
【００３０】
図９は、第１実施形態に係る調光パネルの概略断面構造の一例を示す断面図である。図９に示すように、調光パネル８０は、ＴＮ型の液晶パネルであり、第１基板８０ａと第２基板８０ｂとを有する。第１基板８０ａは、第１電極８１、基板８４、絶縁膜８５ａ、８５ｂ、８５ｃ、スイッチング素子８８、及び下配向膜８９を有する。第２基板８０ｂは、基板７２、第２電極８２、及び上配向膜７４を有している。スイッチング素子８８は、チャネル８８ａ、ソース８８ｂ、ゲート８８ｃ、及びドレイン８８ｄを有する。以下、調光パネル８０の積層構造について説明する。
【００３１】
第１基板８０ａは、基板８４、絶縁膜８５ａ、絶縁膜８５ｂ、絶縁膜８５ｃ、第１電極８１、及び下配向膜８９が、Ｚ方向に向けてこの順で積層（重畳）されている。基板８４は、ガラス基板又はフィルム基板などの基板である。基板８４上には、チャネル８８ａ（アイランド）が設けられている。絶縁膜８５ａは、基板８４上であって、チャネル８８ａ上に接して設けられる。また、絶縁膜８５ａ上であって、チャネル８８ａと重畳する位置には、ゲート８８ｃが設けられている。絶縁膜８５ｂは、絶縁膜８５ａ上であって、ゲート８８ｃ上に接して設けられる。また、絶縁膜８５ｂ上であって、チャネル８８ａと重畳する位置には、ソース８８ｂ及びドレイン８８ｄが設けられている。ソース８８ｂ及びドレイン８８ｄは、一部が、絶縁膜８５ｂ、８５ａを貫通して、チャネル８８ａに接続されている。絶縁膜８５ｃは、絶縁膜８５ｂ上であって、ソース８８ｂ及びドレイン８８ｄ上に接して設けられる。なお、ゲート２４ｃは、チャネル２４ａに対して基板と反対側に配置されており、所謂トップゲートの構成を例に挙げたが、これに限られない。例えば、ゲート２４ｃは絶縁膜を介して、チャネル２４ａと基板との間に配置されているボトムゲートの構成を取ってもよい。第１電極８１は、絶縁膜８５ｃ上に設けられ、領域ＬＤ毎に設けられている。第１電極８１は、ドレイン８８ｄに接続されている。なお、第１電極８１は、例えば矩形状となっている。なお、絶縁膜８５ａ、８５ｂ、８５ｃは、例えば、シリコン窒化膜（ＳｉＮｘ）などの絶縁性部材で構成されている。また、第１電極８１及び第２電極８２は、例えば、酸化インジウムスズ（Indium  Tin  Oxide：ＩＴＯ）などで構成される透明電極である。
【００３２】
下配向膜８９は、第１基板８０ａの最も上側に設けられ、言い換えれば、第１電極８１及び絶縁膜８５ｃ上に設けられる。すなわち、下配向膜８９は、第１基板８０ａの液晶層ＬＣ２側の表面となる。第２電極８２と第１電極８１との間に電界（電圧）が印加されていない状態において、液晶層ＬＣ２内の液晶素子ＬＣは、下配向膜８９に付与された初期配向方向に応じて配向する。例えば、下配向膜８９は、液晶層ＬＣ２側の表面にラビングが施されることで、液晶層ＬＣ２側の表面に、一方向、すなわちラビング方向に沿った複数の溝が形成される。下配向膜８９の近傍の液晶素子ＬＣは、このラビング方向に沿って配向するため、ラビング方向が、初期配向方向であるといえる。下配向膜８９は、例えばポリイミド（Polyimide：ＰＩ）系の配向膜材料にラビング処理を施したものであってよい。ただし、下配向膜８９は、光配向等のラビング以外の処理によって、液晶素子ＬＣを初期配向方向に配向可能に構成されていてもよい。例えば、下配向膜８９は、光配向膜であってもよい。なお、下配向膜８９は、第１基板８０ａ側に設けられた配向膜であるため、下配向膜８９の初期配向方向が、第２基板８０ｂ、すなわち、調光パネル８０の下側（上側と反対側）の基板の初期配向方向となる。
【００３３】
第２基板８０ｂは、上配向膜７４、第２電極８２、及び基板７２が、Ｚ方向に向けてこの方向で積層（重畳）されている。上配向膜７４は、第２基板８０ｂの液晶層ＬＣ２側の表面となる。第２電極８２と第１電極８１との間に電圧が印加されていない状態において、液晶層ＬＣ２内の液晶素子ＬＣは、上配向膜７４に付与された初期配向方向に応じて配向する。上配向膜７４の初期配向方向は、下配向膜８９の初期配向方向と直交することが好ましいが、初期配向方向についての詳細は後述する。上配向膜７４は、下配向膜８９と同様に、ラビング処理によって液晶素子ＬＣを初期配向方向に配向可能であってもよいし、光配向等の他の処理によって液晶素子ＬＣを初期配向方向に配向可能であってもよい。なお、上配向膜７４は、下配向膜８９と対向して、下配向膜８９よりも画像表示パネル３０側（上側）に設けられる配向膜といえる。また、上配向膜７４は、第２基板８０ｂ側に設けられた配向膜であるため、上配向膜７４の初期配向方向が、第２基板８０ｂ、すなわち、調光パネル８０の上側（前面側）の基板の初期配向方向となる。
【００３４】
第２電極８２は、第１電極８１に対向して配置される電極であって、本実施形態においては、調光パネル８０の調光領域ＤＡ内において、１つ設けられる共通電極である。なお、第２電極８２は、調光領域ＤＡ内でＸ方向又はＹ方向に延在するブロック状の複数の電極で構成されてもよい。基板７２ａは、例えばガラス基板やフィルム基板等の基板であり、第２基板８０ｂの最も上側の表面を形成する。
【００３５】
このように積層される調光パネル８０は、第１電極８１と第２電極８２との間に印加された電圧により、光源部５０から照射された光を、液晶層ＬＣ２内で、透過率を変更しつつ画像表示パネル３０の背面３０ｓ側に透過する。液晶素子ＬＣは、印加される電界（電圧）に応じて、配向方向が変化する。液晶層ＬＣ２は、電界の状態に応じて液晶層ＬＣ２内部を通過する光を変調するものである。液晶素子ＬＣの方向が、第２電極８２と第１電極８１との間で印加される電界（ここでは横電界）によって変化し、液晶層ＬＣ２を通過する光の透過量が変化する。言い換えれば、液晶素子ＬＣは、第２電極８２と第１電極８１との間に電界が印加されていない状態では、下配向膜８９及び上配向膜７４に規定された初期配向方向に基づき配向している。そして、液晶素子ＬＣは、第２電極８２と第１電極８１との間に電界が印加されることで、印加された電界の強さに応じた配向方向を向く。
【００３６】
また、ソース８８ｂには、回路部９０が提供する所定の出力電位が与えられる。ドレイン８８ｄは、配線８６を介して第１電極８１と電気的に接続されている。スイッチング素子８８は、ゲート８８ｃに対する信号の有無に応じて、ドレイン電流を第１電極８１に流すか否かを切り替える。
【００３７】
このように、本実施形態に係る調光パネル８０は、縦電界型の液晶パネルであり、さらに言えば、ＴＮ型の液晶パネルである。
【００３８】
次に、複数の領域ＬＤの各々の透過率の決定方法について、図２を参照して説明する。画像解析部１１は、表示分割領域ＰＡに含まれる複数の画素４８のうち最高階調で駆動される画素４８の階調値を特定する解析処理を行う。画像解析部１１は、複数の表示分割領域ＰＡの各々に対して個別に解析処理を行う。調光制御部１２は、複数の表示分割領域ＰＡの各々において最高階調で駆動される画素４８の階調値に対応する光量が複数の表示分割領域ＰＡの各々に照射されるよう、複数の領域ＬＤの各々の透過率を決定する。
【００３９】
例えば、入力信号ＩＰを構成するＲ，Ｇ，Ｂの各々の信号が８ビット信号である場合、最高階調値は（Ｒ，Ｇ，Ｂ）＝（２５５，２５５，２５５）であり、最低階調値は（Ｒ，Ｇ，Ｂ）＝（０，０，０）である。実施形態１では、表示分割領域ＰＡの全ての画素４８の階調値が（Ｒ，Ｇ，Ｂ）＝（０，０，０）である場合、この表示分割領域ＰＡに必要な光量は最小の光量（０）となり、この表示分割領域ＰＡに対応する位置の領域ＬＤの透過率は最低の透過率（０）となる。また、画素４８の階調値が（Ｒ，Ｇ，Ｂ）＝（０，０，０）を超える画素４８が１つ以上あり、かつ、最高階調で駆動される画素４８の階調値が（Ｒ，Ｇ，Ｂ）＝（６３，６３，６３）以下である場合、この表示分割領域ＰＡに必要な光量は２番目に小さい光量（６３）となり、この表示分割領域ＰＡに対応する位置の領域ＬＤの透過率は２番目に低い透過率（０．２５）となる。また、画素４８の階調値が（Ｒ，Ｇ，Ｂ）＝（６４，０，０）、（Ｒ，Ｇ，Ｂ）＝（０，６４，０）又は（Ｒ，Ｇ，Ｂ）＝（０，０，６４）を超える画素４８が１つ以上あり、かつ、最高階調で駆動される画素４８の階調値が（Ｒ，Ｇ，Ｂ）＝（１２７，１２７，１２７）以下である場合、この表示分割領域ＰＡに必要な光量は２番目に大きい光量（１２７）となり、この表示分割領域ＰＡに対応する位置の領域ＬＤの透過率は２番目に高い透過率（０．５）となる。また、画素４８の階調値が（Ｒ，Ｇ，Ｂ）＝（１２８，０，０）、（Ｒ，Ｇ，Ｂ）＝（０，１２８，０）又は（Ｒ，Ｇ，Ｂ）＝（０，０，１２８）を超える画素４８が１つ以上ある場合、この表示分割領域ＰＡに必要な光量は最大の光量（２５５）となり、この表示分割領域ＰＡに対応する位置の領域ＬＤの透過率は最高の透過率（１）となる。このような表示分割領域ＰＡに必要な光量と領域ＬＤの透過率との関係はあくまで一例であってこれに限られるものでなく、具体的な階調値と光量と透過率との関係は適宜変更可能である。
【００４０】
画像解析部１１は、解析処理の結果を示す情報を調光制御部１２及び補正部１４に出力する。調光制御部１２は、解析処理の結果が示す複数の表示分割領域ＰＡの各々に必要な光量に対応した複数の領域ＬＤの各々の透過率を示す情報を第１信号ＤＡＴＡに反映してローカルディミング信号ＤＩを生成し、調光バッファ１３及び補正部１４に出力する。
【００４１】
次に、複数の領域ＬＤの透過率に応じて行われる出力画像信号ＯＰに関する処理について、図２を参照して説明する。補正部１４は、複数の領域ＬＤの各々の透過率に応じて、複数の表示分割領域ＰＡの各々が有する複数の画素４８の各々の階調値を補正する補正処理を行う。補正処理は、最低の透過率を０とし、最高の透過率を１として、透過率の逆数を階調値に乗じる処理である。
【００４２】
例えば、最高階調で駆動される画素４８の階調値が（Ｒ，Ｇ，Ｂ）＝（１２７，１２７，１２７）である場合、この表示分割領域ＰＡに対応する位置の領域ＬＤの透過率は２番目に高い透過率になるように制御され、この表示分割領域ＰＡに照射される光量は２番目に大きい光量（１２７）になる。ここで、（Ｒ，Ｇ，Ｂ）＝（１２７，１２７，１２７）の階調値は、この表示分割領域ＰＡに照射される光量が最大の光量（２５５）であることを前提とした光量である。このため、補正を行わずに（Ｒ，Ｇ，Ｂ）＝（１２７，１２７，１２７）の階調値をそのまま出力画像信号ＯＰに反映した場合、この表示分割領域ＰＡに照射される光量が最大の光量よりも小さい光量（２番目に大きい光量（１２７））では、（Ｒ，Ｇ，Ｂ）＝（１２７，１２７，１２７）の階調値に対応した表示出力を行うことができない。そこで、実施形態１では、このような場合、この表示分割領域ＰＡに照射される光量（２番目に大きい光量（１２７））に合わせて（Ｒ，Ｇ，Ｂ）＝（１２７，１２７，１２７）の階調値を補正することで、最大の光量（２５５）である場合における（Ｒ，Ｇ，Ｂ）＝（１２７，１２７，１２７）の階調値に対応した出力と同様の出力を行うことができるようにする。具体的には、２番目に大きい光量（１２７）が照射される場合における領域ＬＤの透過率は、２番目に高い透過率（０．５）である。この透過率の逆数は、２である。補正部１４は、（Ｒ，Ｇ，Ｂ）＝（１２７，１２７，１２７）の階調値に透過率の逆数（２）を乗じた値でこの階調値を更新する。この場合、補正後の階調値は、（Ｒ，Ｇ，Ｂ）＝（２５４，２５４，２５４）である。階調値が他の値を取る場合、透過率が他の値を取る場合であっても、補正部１４は同様の仕組みで補正処理を行って画素４８の階調値を更新する。
【００４３】
補正部１４は、複数の領域ＬＤの各々の透過率に応じて複数の表示分割領域ＰＡの各々が有する画素４８の階調値を更新する。なお、補正部１４は、透過率が最大の透過率（１）である領域ＬＤに対応する表示分割領域ＰＡについては、補正処理を省略するようにしてもよい。このように、補正部１４は、透過率に応じて、画像表示パネル３０に出力される信号を補正し、出力画像信号に反映する。
【００４４】
また、実施形態１では、画素４８が第４副画素４９Ｗを有しているので、補正部１４は、第４副画素４９Ｗに割り当て可能な階調値を第４副画素４９Ｗに割り当てる変換処理を行い、出力画像信号ＯＰに反映する。例えば、補正部１４は、補正処理後の（Ｒ，Ｇ，Ｂ）＝（２５４，２５４，２５４）の階調値を、（Ｒ，Ｇ，Ｂ，Ｗ）＝（０，０，０，２５４）とする。補正部１４は、補正処理及び変換処理を行って出力画像信号ＯＰを生成し、画像バッファ１５に出力する。
【００４５】
画像バッファ１５及び調光バッファ１３は、例えばＲＡＭ（Random  Access  Memory）等で構成された記憶領域として機能する構成である。同期部１６は、画像バッファ１５に記憶される出力画像信号ＯＰの元になった入力信号ＩＰの画像フレームと、調光バッファ１３に記憶されるローカルディミング信号ＤＩの元になった入力信号ＩＰの画像フレームとを一致させて同一タイミングで画像バッファ１５、調光バッファ１３から出力させる。これによって、表示領域ＯＡに表示されるフレーム画像と当該フレーム画像の表示出力時に画像表示パネル３０に照射される光量とを整合させることができる。
【００４６】
光源制御部１７は、入力信号ＩＰの入力に応じてローカルディミング信号ＤＩの出力が行われる期間中に光源部５０を動作させるよう、光源駆動信号ＢＬを光源部５０に出力する。光源部５０は、光源駆動信号ＢＬに応じて複数の光源５１を点灯させる。
【００４７】
図１０は、信号処理部の処理の流れの一例を示すフローチャートである。画像解析部１１は、解析処理を行い、複数の表示分割領域ＰＡ毎で最大階調となる画素４８を特定する（ステップＳ１）。調光制御部１２は、ステップＳ１で特定された表示分割領域ＰＡ毎の最大階調に応じて、調光領域ＤＡが有する複数の領域ＬＤの各々を表示分割領域ＰＡ毎の最大階調に対応した透過率とする（ステップＳ２）。具体的には、調光制御部１２は、例えば複数の領域ＬＤの各々を表示分割領域ＰＡ毎の最大階調に対応した透過率とするためのローカルディミング信号ＤＩを生成し、調光バッファ１３及び補正部１４に出力する。補正部１４は、調光制御部１２から出力された複数の領域ＬＤの各々の透過率が示す調光領域ＤＡの透過率分布を取得する（ステップＳ３）。補正部１４は、複数の領域ＬＤの各々の透過率に応じて各画素４８の階調値を補正する（ステップＳ４）。
【００４８】
（透過軸方向と初期配向方向）
表示装置１は、以上説明した構成となっており、画像表示パネル３０に調光パネル８０が重畳されている。このように調光パネル８０を設けて、領域ＬＤ毎の透過率を制御することで、画像表示パネル３０に照射される光の光量を調整して、コントラストを向上させることが可能である。ただし、画像表示パネル３０に調光パネル８０を重畳した場合、光源部５０からの光は、調光パネル８０と画像表示パネル３０との両方を透過することとなるため、表示する画像の輝度が低下するおそれがある。それに対し、本実施形態に係る表示装置１は、下偏光板５２の透過軸方向や調光パネル８０の初期配向方向などを工夫することで、輝度の低下を抑制している。以下、透過軸方向と初期配向方向とについて説明する。
【００４９】
図１１は、第１実施形態に係る透過軸方向と初期配向方向とを説明する模式図である。図１１は、Ｚ方向に沿って並ぶ下偏光板５２、調光パネル８０、中偏光板５４、画像表示パネル３０、及び上偏光板５８のそれぞれについての、透過軸方向又は初期配向方向を示している。ここで、透過軸方向とは、偏光板の透過軸が沿っている方向である。透過軸とは、偏光板が透過可能な光の振動する角度（偏光角度）であり、偏光軸であるともいえる。例えば、偏光板の透過軸方向がＸ方向である場合、その偏光板は、入射した光のうち、Ｘ方向に振動する光を透過し、Ｘ方向以外の方向に振動する光を透過しない。初期配向方向は、上述のように、液晶パネルに電圧（電界）が印加されていない状態において、液晶素子ＬＣが配向するように設定された方向である。
【００５０】
以下、下偏光板５２の透過軸方向を、透過軸方向Ｄ１とする。そして、調光パネル８０の第１基板８０ａの初期配向方向、すなわち下配向膜８９の初期配向方向を、初期配向方向Ｄ２とし、調光パネル８０の第２基板８０ｂの初期配向方向、すなわち上配向膜７４の初期配向方向を、初期配向方向Ｄ３とする。また、中偏光板５４の透過軸方向を、透過軸方向Ｄ４とする。そして、画像表示パネル３０のアレイ基板３０ａの初期配向方向、すなわち下配向膜２９の初期配向方向を、初期配向方向Ｄ５とし、画像表示パネル３０の対向基板３０ｂの初期配向方向、すなわち上配向膜３２の初期配向方向を、初期配向方向Ｄ６とする。また、上偏光板５８の透過軸方向を、透過軸方向Ｄ７とする。さらに、予め定めた所定方向に沿った基準軸を、基準軸ＡＸ１とし、基準軸ＡＸ１に直交する軸を、基準直交軸ＡＸ２とする。ここで、基準軸ＡＸ１は、Ｘ−Ｙ平面に沿った軸であれば、任意の方向に沿った軸であってもよいが、本実施形態では、Ｘ方向に沿った軸となる。すなわち、基準軸ＡＸ１は、例えば矩形の画像表示パネル３０又は調光パネル８０の外辺のうちの一辺に沿った方向であるともいえる。基準直交軸ＡＸ２は、Ｘ−Ｙ平面に沿った軸であり、かつ基準軸ＡＸ１に直交する軸である。従って、本実施形態において、基準直交軸ＡＸ２は、Ｙ方向に沿った軸である。
【００５１】
それぞれの透過軸方向と初期配向方向とを説明する前に、調光パネル８０の液晶素子ＬＣの捻じれ方向について説明する。液晶層ＬＣ２内の液晶素子ＬＣは、下配向膜８９の初期配向方向Ｄ２と上配向膜７４の初期配向方向Ｄ３とにより、第１電極８１と第２電極８２とに電圧が印加されない状態における配向方向（初期配向方向）が設定されている。具体的には、液晶層ＬＣ２内の液晶素子ＬＣは、上側（下偏光板５２から画像表示パネル３０に向かう側）に向かうに従って、Ｚ方向を中心軸として徐々に捻じれるように配向している。さらに言えば、液晶層ＬＣ２内の複数の液晶素子ＬＣのうち、下配向膜８９の近傍に位置する液晶素子ＬＣは、下配向膜８９の初期配向方向Ｄ２に沿って配向する。そして、液晶層ＬＣ２内の複数の液晶素子ＬＣは、上配向膜７４側、すなわちＺ方向に向かうに従って、下配向膜８９の初期配向方向Ｄ２から、上配向膜７４の初期配向方向Ｄ３に徐々に配向方向が変化し、上配向膜７４の近傍に位置する液晶素子ＬＣは、上配向膜７４の初期配向方向Ｄ３に沿って配向する。すなわち、液晶層ＬＣ２内の複数の液晶素子ＬＣは、上配向膜７４のものほど、初期配向方向Ｄ３に配列し、下配向膜８９のものほど、初期配向方向Ｄ２に配列するように、Ｚ方向を中心軸として捻じれて配列している。この捻じれる方向を、液晶素子ＬＣの捻じれ方向といる。第１実施形態においては、調光パネル８０の液晶素子ＬＣの捻じれ方向が、Ｘ−Ｙ平面における時計回り方向Ｔ１となるように、下配向膜８９の初期配向方向Ｄ２と上配向膜７４の初期配向方向Ｄ３とが設定されている。図１１に示すように、例えば、下配向膜８９の初期配向方向Ｄ２がＸ方向側に向かうように設定され、上配向膜７４の初期配向方向Ｄ３がＹ方向側に向かうように設定されることで、調光パネル８０の液晶素子ＬＣの捻じれ方向が、Ｘ−Ｙ平面における時計回り方向Ｔ１となる。なお、時計回り方向Ｔ１とは、Ｘ−Ｙ平面に直交する軸を中心軸として時計回りの方向である。
【００５２】
図１１に示すように、下偏光板５２は、Ｘ−Ｙ平面において（Ｚ方向から見て）、透過軸方向Ｄ１が、基準軸ＡＸ１に対し、調光パネル８０の液晶素子ＬＣの捻じれ方向と同じ方向に傾くように、透過軸が設定される。上述のように、第１実施形態においては、調光パネル８０の液晶素子ＬＣの捻じれ方向が、時計回り方向Ｔ１となる。従って、第１実施形態においては、下偏光板５２の透過軸方向Ｄ１は、基準軸ＡＸ１に対し、時計回り方向Ｔ１に傾いている。さらに言えば、本実施形態においては、中偏光板５４は、透過軸方向Ｄ４が、基準直交軸ＡＸ２に対して傾いておらず、基準直交軸ＡＸ２に沿う（平行である）ように設定されている。従って、下偏光板５２の透過軸方向Ｄ１は、中偏光板５４の透過軸方向Ｄ４に直交する軸に対し、液晶素子ＬＣの捻じれ方向と同じ方向（ここでは、時計回り方向Ｔ１）に傾いているともいえる。なお、下偏光板５２の透過軸方向Ｄ１は、基準軸ＡＸ１に対して傾いているが、基準軸ＡＸ１に沿った方向のベクトル成分と基準直交軸ＡＸ２に沿った方向のベクトル成分とに分解した場合、基準軸ＡＸ１に沿った方向のベクトル成分が、基準直交軸ＡＸ２に沿った方向のベクトル成分よりも高くなっている。すなわち、透過軸方向Ｄ１は、基準軸ＡＸ１に対する傾き角度が、４５度より小さい。ただし、傾く角度の好適な数値範囲については、後述する。
【００５３】
また、調光パネル８０の第１基板８０ａの下配向膜８９は、Ｘ−Ｙ平面において（Ｚ方向から見て）、初期配向方向Ｄ２が、基準軸ＡＸ１に対し、調光パネル８０の液晶素子ＬＣの捻じれ方向と反対方向に、言い換えれば、下偏光板５２の透過軸方向Ｄ１が基準軸ＡＸ１に対して傾く方向と反対方向に、傾いている。従って、第１実施形態においては、下配向膜８９の初期配向方向Ｄ２は、基準軸ＡＸ１に対し、Ｘ−Ｙ平面における反時計回り方向Ｔ２に傾いている。なお、反時計回り方向Ｔ２とは、Ｘ−Ｙ平面に直交する軸を中心軸として反時計回りの方向であり、時計回り方向Ｔ１と反対方向である。なお、下配向膜８９の初期配向方向Ｄ２は、基準軸ＡＸ１に対して傾いているが、基準軸ＡＸ１に沿った方向のベクトル成分と基準直交軸ＡＸ２に沿った方向のベクトル成分とに分解した場合、基準軸ＡＸ１に沿った方向のベクトル成分が、基準直交軸ＡＸ２に沿った方向のベクトル成分よりも高くなっている。すなわち、初期配向方向Ｄ２は、基準軸ＡＸ１に対する傾き角度が、４５度より小さい。ただし、傾く角度の好適な数値範囲については、後述する。
【００５４】
このように、下偏光板５２の透過軸方向Ｄ１が基準軸ＡＸ１に対し時計回り方向Ｔ１に傾いており、下配向膜８９の初期配向方向Ｄ２が基準軸ＡＸ１に対し反時計回り方向Ｔ２に傾いているため、下偏光板５２の透過軸方向Ｄ１は、調光パネル８０の透過軸方向、すなわち下配向膜８９の初期配向方向Ｄ２と、平行でなく、かつ直交しない、といえる。さらに言えば、下偏光板５２の透過軸方向Ｄ１は、調光パネル８０の透過軸方向、すなわち下配向膜８９の初期配向方向Ｄ２と、平行でなく、かつ直交しなければよく、例えば、基準軸ＡＸ１に対し平行又は直交であってもよい。同様に、下配向膜８９の初期配向方向Ｄ２は、下偏光板５２の透過軸方向Ｄ１に対し平行でなく、かつ直交していなければよく、例えば、基準軸ＡＸ１に対し平行又は直交であってもよい。ただし、第１実施形態に示したように、下偏光板５２の透過軸方向Ｄ１は、基準軸ＡＸ１に対し、液晶素子ＬＣの捻じれ方向と同じ方向（ここでは時計回り方向Ｔ１）に傾いていることが好ましく、下配向膜８９の初期配向方向Ｄ２は、基準軸ＡＸ１に対し、下偏光板５２の透過軸方向Ｄ１の傾く方向と反対方向（ここでは反時計回り方向Ｔ２）に傾いていることが好ましい。
【００５５】
また、調光パネル８０の第２基板８０ｂの上配向膜７４は、Ｘ−Ｙ平面において（Ｚ方向から見て）、初期配向方向Ｄ３が、基準直交軸ＡＸ２に対し、調光パネル８０の液晶素子ＬＣの捻じれ方向に、言い換えれば、下偏光板５２の透過軸方向Ｄ１が基準軸ＡＸ１に対して傾く方向と同じ方向に、傾いている。従って、第１実施形態においては、上配向膜７４の初期配向方向Ｄ３は、基準直交軸ＡＸ２に対し、時計回り方向Ｔ１に傾いている。なお、上配向膜７４の初期配向方向Ｄ３は、基準直交軸ＡＸ２に対して傾いているが、基準軸ＡＸ１に沿った方向のベクトル成分と基準直交軸ＡＸ２に沿った方向のベクトル成分とに分解した場合、基準直交軸ＡＸ２に沿った方向のベクトル成分が、基準軸ＡＸ１に沿った方向のベクトル成分よりも高くなっている。すなわち、初期配向方向Ｄ２は、基準直交軸ＡＸ２に対する傾き角度が、４５度より小さい。ただし、傾く角度の好適な数値範囲については、後述する。ただし、下偏光板５２の透過軸方向Ｄ１は、必ずしも基準直交軸ＡＸ２に対して傾いていなくてもよく、例えば基準直交軸ＡＸ２に沿っていてもよい。
【００５６】
上述のように、中偏光板５４は、Ｘ−Ｙ平面において（Ｚ方向から見て）、透過軸方向Ｄ４が、基準直交軸ＡＸ２に対して傾いておらず、基準直交軸ＡＸ２に沿う（平行である）ように設定されている。
【００５７】
画像表示パネル３０のアレイ基板３０ａの下配向膜２９は、Ｘ−Ｙ平面において（Ｚ方向から見て）、初期配向方向Ｄ５が、基準直交軸ＡＸ２に対して傾いておらず、基準直交軸ＡＸ２に沿う（平行である）ように設定されている。すなわち、下配向膜２９の初期配向方向Ｄ５は、中偏光板５４の透過軸方向Ｄ４に沿っている。
【００５８】
また、画像表示パネル３０の対向基板３０ｂの上配向膜３２は、Ｘ−Ｙ平面において（Ｚ方向から見て）、初期配向方向Ｄ６が、下配向膜２９の初期配向方向Ｄ５に沿っている（平行である）。すなわち、上配向膜３２の初期配向方向Ｄ６は、基準直交軸ＡＸ２に沿っており、さらに言えば、中偏光板５４の透過軸方向Ｄ４に沿っている。
【００５９】
また、上偏光板５８は、Ｘ−Ｙ平面において（Ｚ方向から見て）、透過軸方向Ｄ７が、基準軸ＡＸ１に対して傾いておらず、基準軸ＡＸ１に沿う（平行である）ように設定されている。すなわち、上偏光板５８の透過軸方向Ｄ７は、中偏光板５４の透過軸方向Ｄ４と、下配向膜２９の初期配向方向Ｄ５と、上配向膜３２の初期配向方向Ｄ６とに直交している。
【００６０】
次に、透過軸方向及び初期配向方向の角度について説明する。以下に説明する透過軸方向及び初期配向方向の角度は、Ｘ−Ｙ平面における角度、すなわちＺ方向から見た角度を指す。下偏光板５２の透過軸方向Ｄ１が基準軸ＡＸ１に対して傾く角度の大きさは、例えば０度以上５度以下であることが好ましい。また、下配向膜８９の初期配向方向Ｄ２が基準軸ＡＸ１に対し傾く角度の大きさも、例えば０度以上５度以下であることが好ましい。また、上配向膜７４の初期配向方向Ｄ３が基準直交軸ＡＸ２に対して傾く角度の大きさも、例えば０度以上５度以下であることが好ましい。さらに言えば、下偏光板５２の透過軸方向Ｄ１が基準軸ＡＸ１に対して傾く角度の大きさと、下配向膜８９の初期配向方向Ｄ２が基準軸ＡＸ１に対し傾く角度の大きさと、上配向膜７４の初期配向方向Ｄ３が基準直交軸ＡＸ２に対して傾く角度の大きさとは、等しいことが好ましいが、互いに異なってもよい。
【００６１】
図１２は、第１実施形態における透過軸方向及び初期配向方向の関係を示す図である。図１２の角度θ１は、下偏光板５２の透過軸方向Ｄ１と下配向膜８９の初期配向方向Ｄ２とのなす角度である。すなわち、下配向膜８９の初期配向方向Ｄ２は、下偏光板５２の透過軸方向Ｄ１に対して、反時計回り方向Ｔ２、すなわち調光パネル８０の液晶素子ＬＣの捻じれ方向と反対方向に、角度θ１だけ傾いている。角度θ１は、０度より大きく１０度以下であることが好ましい。また、図１２の角度θ２は、下偏光板５２の透過軸方向Ｄ１と上配向膜７４の初期配向方向Ｄ３とのなす角度である。角度θ２は、８５度以上９５度以下であることが好ましい。角度θ２が９０度である場合も含むため、下偏光板５２の透過軸方向Ｄ１と上配向膜７４の初期配向方向Ｄ３とは、直交していてもよい。また、図１２の角度θ３は、下偏光板５２の透過軸方向Ｄ１と中偏光板５４の透過軸方向Ｄ４とのなす角度である。角度θ３は、９０度以上９５度以下であることが好ましい。角度θ３が９０度である場合も含むため、下偏光板５２の透過軸方向Ｄ１と中偏光板５４の透過軸方向Ｄ４とは、直交していてもよい。なお、第１実施形態においては、中偏光板５４の透過軸方向Ｄ４は、基準直交軸ＡＸ２に沿っているため、角度θ３は、下偏光板５２の透過軸方向Ｄ１と基準直交軸ＡＸ２とのなす角度であるともいえる。
【００６２】
また、図１２の角度θ４は、下配向膜８９の初期配向方向Ｄ２と上配向膜７４の初期配向方向Ｄ３とのなす角度である。角度θ４は、８０度以上９０度以下であることが好ましい。角度θ２が９０度である場合も含むため、下配向膜８９の初期配向方向Ｄ２と上配向膜７４の初期配向方向Ｄ３とは、直交していてもよい。図１２の角度θ５は、下配向膜８９の初期配向方向Ｄ２と中偏光板５４の透過軸方向Ｄ４とのなす角度である。角度θ５は、８５度以上９５度以下であることが好ましい。角度θ５が９０度である場合も含むため、下配向膜８９の初期配向方向Ｄ２と中偏光板５４の透過軸方向Ｄ４とは、直交していてもよい。なお、第１実施形態においては、中偏光板５４の透過軸方向Ｄ４は、基準直交軸ＡＸ２に沿っているため、角度θ５は、下配向膜８９の初期配向方向Ｄ２と基準直交軸ＡＸ２とのなす角度であるともいえる。
【００６３】
また、図１２の角度θ６は、上配向膜７４の初期配向方向Ｄ３と中偏光板５４の透過軸方向Ｄ４とのなす角度である。角度θ６は、０度以上５度以下であることが好ましい。角度θ６が０度である場合も含むため、上配向膜７４の初期配向方向Ｄ３と中偏光板５４の透過軸方向Ｄ４とは、平行であってもよい。第１実施形態においては、中偏光板５４の透過軸方向Ｄ４は、基準直交軸ＡＸ２に沿っているため、角度θ５は、上配向膜７４の初期配向方向Ｄ３と基準直交軸ＡＸ２とのなす角度であるともいえる。
【００６４】
図１３は、第１実施形態に係る表示装置の輝度の一例を示すグラフである。図１３の横軸は、視野角であり、縦軸は、画像の輝度である。視野角とは、表示装置の画面に対する視点の角度を指す。すなわち、視野角が０度の場合、視点が表示装置の画面の正面であり、視野角が０度から大きくなったり小さくなったりするほど、視点が表示装置の画面の正面からずれていく。図１３の線分Ｌ１Ｚ１は、第１比較例に係る表示装置の視野角ごとの輝度を示している。第１比較例に係る表示装置は、第１実施形態の図３に示す積層構造であるが、透過軸と初期配向方向とが、互いに平行又は直交したものである。すなわち、第１比較例に係る表示装置は、下偏光板の透過軸方向と、調光パネルの下配向膜の初期配向方向とが直交し、調光パネルの下配向膜の初期配向方向と、調光パネルの上配向膜の初期配向方向とが直交し、調光パネルの上配向膜の初期配向方向と、中偏光板の透過軸方向とが平行であり、中偏光板の透過軸方向と、画像表示パネルの下配向膜及び上配向膜の初期配向方向とが平行であり、画像表示パネルの下配向膜及び上配向膜の初期配向方向と、上偏光板の透過軸方向とが直交する。さらに、第１比較例の調光パネルの液晶素子の捻じれ方向は、第１実施形態と同じ時計回り方向Ｔ１である。また、図１３の線分Ｌ１は、第１実施形態に係る表示装置１の視野角ごとの輝度を示している。
【００６５】
図１３の線分Ｌ１に示すように、第１実施形態に係る表示装置１の輝度は、線分Ｌ１Ｚ１に示す第１比較例の表示装置の輝度より高くなっている。すなわち、透過軸と初期配向方向とを傾けることで、輝度が高くなる。より詳しくは、第１実施形態に係る表示装置１は、少なくとも、下偏光板５２の透過軸方向Ｄ１と調光パネル８０の下配向膜８９の初期配向方向Ｄ２とを、平行でなく、直交しないように設定している。従って、下偏光板５２を透過した光が、調光パネル８０の下配向膜８９によって完全に遮光されることが抑制される。そのため、第１実施形態に係る表示装置１によると、調光パネル８０を透過する光の量を増加させ、輝度の低下を抑制することができる。
【００６６】
図１４は、第１実施形態に係る表示装置のコントラストの一例を示すグラフである。図１４の横軸は、視野角であり、縦軸は、画像のコントラストである。図１４の線分Ｌ２Ｚ１は、第１比較例に係る表示装置の視野角ごとのコントラストであり、線分Ｌ２は、第１実施形態に係る表示装置１の視野角ごとのコントラストである。図１３及び図１４に示すように、第１実施形態に係る表示装置１は、透過軸と初期配向方向とを傾けることで、コントラストを保ったまま、輝度を高くすることができる。
【００６７】
以上説明したように、第１実施形態に係る表示装置１は、複数の画素４８を有する画像表示パネル３０と、光源部５０と、調光パネル８０と、下偏光板５２とを有する。光源部５０は、画像表示パネル３０の背面３０ｓ側に設けられる。調光パネル８０は、画像表示パネル３０と光源部５０との間に設けられ、光源部５０側の下配向膜８９と、マトリクス状に配置された複数の第１電極８１と、下配向膜８９と対向して下配向膜８９よりも画像表示パネル３０側に設けられる上配向膜７４と、第２電極８２と、液晶層ＬＣ２とを有する。そして、調光パネル８０は、第１電極８１と第２電極８２との間に印加された電圧により、光源部５０から照射された光を、液晶層ＬＣ２内で、透過率を変更しつつ画像表示パネル３０の背面３０ｓ側に透過可能に構成される。下偏光板５２は、調光パネル８０と光源部５０との間に設けられる。下偏光板５２の透過軸方向Ｄ１は、下配向膜８９の初期配向方向Ｄ２と平行でなく、かつ、直交しない方向に沿っている。この表示装置１は、画像表示パネル３０に重畳して調光パネル８０を設けることで視野角特性を向上させつつ、下偏光板５２の透過軸方向Ｄ１と調光パネル８０の初期配向方向とを平行でなくかつ直交させないことで、調光パネル８０を透過する光の量を増加させ、輝度の低下を抑制することができる。
【００６８】
また、下偏光板５２の透過軸方向Ｄ１は、所定の方向に沿った基準軸ＡＸ１に対して、時計回り及び反時計回りのうちの一方側（第１実施形態では時計回り方向Ｔ１側）に傾いており、下配向膜８９の初期配向方向Ｄ２は、基準軸に対して、時計回り及び反時計回りのうちの他方側（第１実施形態では反時計回り方向Ｔ２側）に傾いている。この表示装置１は、このように、下偏光板５２の透過軸方向Ｄ１と下配向膜８９の初期配向方向Ｄ２とを反対方向に傾けることで、輝度の低下を好適に抑制することができる。
【００６９】
また、上配向膜７４の初期配向方向Ｄ３は、基準軸ＡＸ１に直交する基準直交軸ＡＸ２に対して、時計回り及び反時計回りのうちの一方側（第１実施形態では時計回り方向Ｔ１側）に傾いている。表示装置１は、このように、上配向膜７４の初期配向方向Ｄ３を下偏光板５２の透過軸方向Ｄ１と同方向に傾けることで、輝度の低下を好適に抑制することができる。
【００７０】
また、下配向膜８９の初期配向方向Ｄ２と上配向膜７４の初期配向方向Ｄ３とは、液晶層ＬＣ２内の液晶素子ＬＣが、第１電極８１と第２電極８２とに電圧が印加されない状態で、下偏光板５２側から画像表示パネル３０側に向かうに従って（上側に向かうに従って）、時計回り及び反時計回りのうちの一方側（第１実施形態では時計回り方向Ｔ１側）に捻じれるよう設定されている。表示装置１は、このように、液晶素子ＬＣの捻じれ方向と同じ方向に下偏光板５２の透過軸方向Ｄ１を傾け、液晶素子ＬＣの捻じれ方向と反対方向に下配向膜８９の初期配向方向Ｄ２を傾けることで、輝度の低下を好適に抑制することができる。
【００７１】
また、表示装置１は、調光パネル８０と画像表示パネル３０との間に設けられる中偏光板５４と、画像表示パネル３０の背面３０ｓの反対側の前面３０ｔ側に設けられる上偏光板５８と、を有する。この表示装置１は、下偏光板５２、調光パネル８０、中偏光板５４、画像表示パネル３０、上偏光板５８がこの順で並ぶことで、視野角特性を向上しつつ、輝度の低下を抑制することができる。
【００７２】
また、中偏光板５４の透過軸方向Ｄ４は、基準軸ＡＸ１に直交する基準直交軸ＡＸ２に沿っている。表示装置１は、このように中偏光板５４の透過軸方向Ｄ４を設定することで、色バランスなどの画質を好適に保つことができる。
【００７３】
また、画像表示パネル３０の初期配向方向Ｄ５、Ｄ６は、基準直交軸ＡＸ２に沿っており、上偏光板５８の透過軸方向Ｄ７は、基準軸ＡＸ１に沿っている。表示装置１は、このように画像表示パネル３０の初期配向方向Ｄ５、Ｄ６と上偏光板５８の透過軸方向Ｄ７とを設定することで、色バランスなどの画質を好適に保つことができる。
【００７４】
（第１変形例）
次に、第１実施形態の変形例である第１変形例について説明する。第１変形例に係る表示装置１Ａは、液晶素子ＬＣの捻じれ方向が、第１実施形態と異なる。第１変形例において、第１実施形態と構成が共通する箇所は、説明を省略する。
【００７５】
図１５は、第１変形例に係る透過軸方向と初期配向方向とを説明する模式図である。図１５に示すように、第１変形例においては、調光パネル８０の液晶素子ＬＣの捻じれ方向が、Ｘ−Ｙ平面における反時計回り方向Ｔ２となるように、下配向膜８９の初期配向方向Ｄ２と上配向膜７４の初期配向方向Ｄ３とが設定されている。すなわち、第１変形例における液晶素子ＬＣの捻じれ方向は、第１実施形態と反対方向である。図１５に示すように、例えば、下配向膜８９の初期配向方向Ｄ２ＡがＸ方向側に向かうように設定され、上配向膜７４の初期配向方向Ｄ３ＡがＹ方向と反対方向側に向かうように設定されることで、調光パネル８０の液晶素子ＬＣの捻じれ方向が、Ｘ−Ｙ平面における反時計回り方向Ｔ２となる。言い換えると、下配向膜８９の初期配向方向Ｄ２Ａは、第１実施形態１の下配向膜８９の初期配向方向Ｄ２と同様の方向に向かう様に設定され、上配向膜７４の初期配向方向Ｄ３Ａは、第１実施形態１の上配向膜７４の初期配向方向Ｄ３と反対の方向に向かうように設定される。
【００７６】
図１５に示すように、第１変形例における下偏光板５２の透過軸方向Ｄ１Ａは、Ｘ−Ｙ平面において（Ｚ方向から見て）、基準軸ＡＸ１に対し、調光パネル８０の液晶素子ＬＣの捻じれ方向と同じ方向、すなわち反時計回り方向Ｔ２に傾いている。言い換えれば、下偏光板５２の透過軸方向Ｄ１Ａは、第１変形例の中偏光板５４の透過軸方向Ｄ４Ａに直交する軸に対し、液晶素子ＬＣの捻じれ方向と同じ方向（ここでは、反時計回り方向Ｔ２）に傾いているともいえる。なお、下偏光板５２の透過軸方向Ｄ１Ａは、第１実施形態の透過軸方向Ｄ１と同様に、基準軸ＡＸ１に沿った方向のベクトル成分が、基準直交軸ＡＸ２に沿った方向のベクトル成分よりも高くなっている。
【００７７】
また、第１変形例に係る調光パネル８０の下配向膜８９の初期配向方向Ｄ２Ａは、Ｘ−Ｙ平面において（Ｚ方向から見て）、基準軸ＡＸ１に対し、調光パネル８０の液晶素子ＬＣの捻じれ方向と反対方向（下偏光板５２の透過軸方向Ｄ１の傾きと反対方向）に、すなわち時計回り方向Ｔ１に傾いている。なお、下配向膜８９の初期配向方向Ｄ２Ａも、第１実施形態の初期配向方向Ｄ２と同様に、基準軸ＡＸ１に沿った方向のベクトル成分が、基準直交軸ＡＸ２に沿った方向のベクトル成分よりも高くなっている。
【００７８】
また、第１変形例に係る調光パネル８０の上配向膜７４の初期配向方向Ｄ３Ａは、Ｘ−Ｙ平面において（Ｚ方向から見て）、基準直交軸ＡＸ２に対し、調光パネル８０の液晶素子ＬＣの捻じれ方向と同じ方向（下偏光板５２の透過軸方向Ｄ１の傾きと同じ方向）に、すなわち反時計回り方向Ｔ２に傾いている。なお、上配向膜７４の初期配向方向Ｄ３Ａは、第１実施形態の初期配向方向Ｄ３と同様に、基準直交軸ＡＸ２に沿った方向のベクトル成分が、基準軸ＡＸ１に沿った方向のベクトル成分よりも高くなっている。
【００７９】
第１変形例に係る中偏光板５４の透過軸方向Ｄ４Ａは、第１実施形態に係る中偏光板５４の透過軸方向Ｄ４と同方向である。また、第１変形例に係る画像表示パネル３０の下配向膜２９の初期配向方向Ｄ５Ａ及び上配向膜３２の初期配向方向Ｄ６Ａとは、それぞれ、第１実施形態に係る初期配向方向Ｄ５及び初期配向方向Ｄ６と、同方向である。また、第１変形例に係る上偏光板５８の透過軸方向Ｄ７Ａは、第１実施形態に係る上偏光板５８の透過軸方向Ｄ７と同方向である。
【００８０】
図１６は、第１変形例における透過軸方向及び初期配向方向の関係を示す図である。図１６の角度θ１Ａは、下偏光板５２の透過軸方向Ｄ１Ａと下配向膜８９の初期配向方向Ｄ２Ａとのなす角度である。すなわち、下配向膜８９の初期配向方向Ｄ２Ａは、下偏光板５２の透過軸方向Ｄ１Ａに対して、時計回り方向Ｔ１、すなわち調光パネル８０の液晶素子ＬＣの捻じれ方向と反対方向に、角度θ１Ａだけ傾いている。角度θ１Ａは、０度より大きく１０度以下であることが好ましい。また、角度θ２Ａは、下偏光板５２の透過軸方向Ｄ１Ａと上配向膜７４の初期配向方向Ｄ３Ａとのなす角度である。角度θ２Ａは、８５度以上９５度以下であることが好ましい。また、角度θ３Ａは、下偏光板５２の透過軸方向Ｄ１Ａと中偏光板５４の透過軸方向Ｄ４Ａとのなす角度である。角度θ３Ａは、９０度以上９５度以下であることが好ましい。
【００８１】
また、図１６の角度θ４Ａは、下配向膜８９の初期配向方向Ｄ２Ａと上配向膜７４の初期配向方向Ｄ３Ａとのなす角度である。角度θ４Ａは、８０度以上９０度以下であることが好ましい。角度θ５Ａは、下配向膜８９の初期配向方向Ｄ２Ａと中偏光板５４の透過軸方向Ｄ４Ａとのなす角度である。角度θ５Ａは、８５度以上９５度以下であることが好ましい。角度θ６Ａは、上配向膜７４の初期配向方向Ｄ３Ａと中偏光板５４の透過軸方向Ｄ４Ａとのなす角度である。角度θ６Ａは、０度以上５度以下であることが好ましい。
【００８２】
以上説明したように、第１変形例においては、調光パネル８０の液晶素子ＬＣの捻じれ方向が第１実施形態と逆になることで、下偏光板５２の透過軸方向Ｄ１Ａの傾く方向と、下配向膜８９の初期配向方向Ｄ２Ａの傾く方向と、上配向膜７４の初期配向方向Ｄ３Ａの傾く方向とについても、第１実施形態と逆になる。第１変形例に係る表示装置１Ａは、第１実施形態に係る表示装置１と同様に、下偏光板５２の透過軸方向Ｄ１Ａと調光パネル８０の下配向膜８９の初期配向方向Ｄ２Ａとを平行でなくかつ直交させないことで、輝度の低下を抑制することができる。
【００８３】
図１７は、第１変形例に係る表示装置の輝度の一例を示すグラフである。図１７の線分Ｌ１Ｚ２は、第２比較例に係る表示装置の視野角ごとの輝度を示している。第２比較例に係る表示装置は、調光パネルの液晶素子の捻じれ方向が、第１比較例と反対方向の反時計回り方向Ｔ２であるが、それ以外の構成は、第１比較例と同じである。図１７の線分Ｌ１Ａは、第１変形例に係る表示装置１Ａの視野角ごとの輝度を示している。図１７に示すように、第１変形例に係る表示装置１Ａの輝度は、第２比較例の表示装置の輝度より高くなっている。
【００８４】
図１８は、第１変形例に係る表示装置のコントラストの一例を示すグラフである。図１８の線分Ｌ２Ｚ２は、第２比較例に係る表示装置の視野角ごとのコントラストであり、線分Ｌ２Ａは、第１変形例に係る表示装置１Ａの視野角ごとのコントラストである。図１８に示すように、第１変形例に係る表示装置１Ａは、透過軸と初期配向方向とを傾けることで、コントラストを保ったまま、輝度を高くすることができる。
【００８５】
（第２実施形態）
次に、第２実施形態について説明する。第２実施形態に係る表示装置１Ｂは、中偏光板５４の透過軸方向、画像表示パネル３０の初期配向方向、及び上偏光板５８の初期配向方向についても傾けている点で、第１実施形態とは異なる。第２実施形態において第１実施形態と構成が共通する箇所は、説明を省略する。
【００８６】
図１９は、第２実施形態に係る透過軸方向と初期配向方向とを説明する模式図である。図１９に示すように、第２実施形態においては、調光パネル８０の液晶素子ＬＣの捻じれ方向が、Ｘ−Ｙ平面における時計回り方向Ｔ１となるように、下配向膜８９の初期配向方向Ｄ２と上配向膜７４の初期配向方向Ｄ３とが設定されている。すなわち、第２実施形態における液晶素子ＬＣの捻じれ方向は、第１実施形態と同じ方向である。
【００８７】
第２実施形態における下偏光板５２の透過軸方向Ｄ１Ｂは、第１実施形態における透過軸方向Ｄ１と同方向である。第２実施形態に係る調光パネル８０の下配向膜８９の初期配向方向Ｄ２Ｂは、第１実施形態における初期配向方向Ｄ２と同方向である。第２実施形態に係る調光パネル８０の上配向膜７４の初期配向方向Ｄ３Ｂは、第１実施形態における初期配向方向Ｄ３と同方向である。
【００８８】
一方、第２実施形態における中偏光板５４は、Ｘ−Ｙ平面において（Ｚ方向から見て）、透過軸方向Ｄ４Ｂが、基準直交軸ＡＸ２に対し、調光パネル８０の液晶素子ＬＣの捻じれ方向と反対方向に、言い換えれば、下偏光板５２の透過軸方向Ｄ１Ｂが基準軸ＡＸ１に対して傾く方向と反対方向に、傾いている。従って、第２実施形態においては、中偏光板５４の透過軸方向Ｄ４Ｂは、基準直交軸ＡＸ２に対し、反時計回り方向Ｔ２に傾いている。なお、中偏光板５４の透過軸方向Ｄ４Ｂは、基準直交軸ＡＸ２に対して傾いているが、基準直交軸ＡＸ２に沿った方向のベクトル成分が、基準軸ＡＸ１に沿った方向のベクトル成分よりも高くなっている。すなわち、透過軸方向Ｄ４Ｂは、基準直交軸ＡＸ２に対する傾き角度が、４５度より小さい。ただし、傾く角度の好適な数値範囲については、後述する。
【００８９】
また、第２実施形態における画像表示パネル３０の下配向膜２９は、Ｘ−Ｙ平面において（Ｚ方向から見て）、初期配向方向Ｄ５Ｂが、基準直交軸ＡＸ２に対して、調光パネル８０の液晶素子ＬＣの捻じれ方向と反対方向に、言い換えれば、下偏光板５２の透過軸方向Ｄ１Ｂが基準軸ＡＸ１に対して傾く方向と反対方向に、傾いている。従って、第２実施形態においては、下配向膜２９の初期配向方向Ｄ５Ｂは、基準直交軸ＡＸ２に対し、反時計回り方向Ｔ２に傾いている。なお、下配向膜２９の初期配向方向Ｄ５Ｂは、基準直交軸ＡＸ２に対して傾いているが、基準直交軸ＡＸ２に沿った方向のベクトル成分が、基準軸ＡＸ１に沿った方向のベクトル成分よりも高くなっている。すなわち、透過軸方向Ｄ４Ｂは、基準直交軸ＡＸ２に対する傾き角度が、４５度より小さい。また、第２実施形態における画像表示パネル３０の上配向膜３２は、初期配向方向Ｄ６Ｂが、下配向膜２９の初期配向方向Ｄ５Ｂに沿っている。
【００９０】
また、第２実施形態における上偏光板５８は、Ｘ−Ｙ平面において（Ｚ方向から見て）、透過軸方向Ｄ７Ｂが、基準軸ＡＸ１に対して、調光パネル８０の液晶素子ＬＣの捻じれ方向と同じ方向に、言い換えれば、下偏光板５２の透過軸方向Ｄ１Ｂが基準軸ＡＸ１に対して傾く方向と同じ方向に、傾いている。従って、第２実施形態においては、上偏光板５８の透過軸方向Ｄ７Ｂは、基準軸ＡＸ１に対し、時計回り方向Ｔ１に傾いている。なお、上偏光板５８の透過軸方向Ｄ７Ｂは、基準軸ＡＸ１に対して傾いているが、基準軸ＡＸ１に沿った方向のベクトル成分が、基準直交軸ＡＸ２に沿った方向のベクトル成分よりも高くなっている。すなわち、透過軸方向Ｄ４Ｂは、基準軸ＡＸ１に対する傾き角度が、４５度より小さい。
【００９１】
次に、透過軸方向及び初期配向方向の角度について説明する。中偏光板５４の透過軸方向Ｄ４Ｂが基準直交軸ＡＸ２に対して傾く角度の大きさは、例えば０度以上５度以下であることが好ましい。また、画像表示パネル３０の初期配向方向Ｄ５Ｂ、Ｄ６Ｂが基準直交軸ＡＸ２に対し傾く角度の大きさも、例えば０度以上５度以下であることが好ましい。また、上偏光板５８の透過軸方向Ｄ７Ｂが基準軸ＡＸ１に対して傾く角度の大きさも、例えば０度以上５度以下であることが好ましい。さらに言えば、中偏光板５４の透過軸方向Ｄ４Ｂが基準直交軸ＡＸ２に対して傾く角度の大きさと、画像表示パネル３０の初期配向方向Ｄ５Ｂ、Ｄ６Ｂが基準直交軸ＡＸ２に対し傾く角度の大きさと、上偏光板５８の透過軸方向Ｄ７Ｂが基準軸ＡＸ１に対して傾く角度の大きさとは、等しいことが好ましいが、互いに異なってもよい。さらに、さらに言えば、透過軸方向Ｄ１Ｂ、Ｄ４Ｂ、Ｄ７Ｂ、初期配向方向Ｄ２Ｂ、Ｄ３Ｂ、Ｄ５Ｂ、Ｄ６Ｂは、傾く角度が互いに等しいことが好ましいが、互いに異なってもよい。
【００９２】
図２０は、第２実施形態における透過軸方向及び初期配向方向の関係を示す図である。図２０の角度θ１Ｂは、下偏光板５２の透過軸方向Ｄ１Ｂと下配向膜８９の初期配向方向Ｄ２Ｂとのなす角度である。すなわち、下配向膜８９の初期配向方向Ｄ２Ｂは、下偏光板５２の透過軸方向Ｄ１Ｂに対して、反時計回り方向Ｔ２、すなわち調光パネル８０の液晶素子ＬＣの捻じれ方向と反対方向に、角度θ１Ｂだけ傾いている。角度θ１Ｂは、０度より大きく１０度以下であることが好ましい。また、角度θ２Ｂは、下偏光板５２の透過軸方向Ｄ１Ｂと上配向膜７４の初期配向方向Ｄ３Ｂとのなす角度である。角度θ２Ｂは、８５度以上９５度以下であることが好ましい。また、角度θ３Ｂは、下偏光板５２の透過軸方向Ｄ１Ｂと中偏光板５４の透過軸方向Ｄ４Ｂとのなす角度である。角度θ３Ｂは、９０度以上１００度以下であることが好ましい。また、角度θ７Ｂは、下偏光板５２の透過軸方向Ｄ１Ｂと画像表示パネル３０の初期配向方向Ｄ５Ｂ、Ｄ６Ｂとのなす角度である。角度θ７Ｂは、９０度以上１００度以下であることが好ましい。また、角度θ８Ｂは、下偏光板５２の透過軸方向Ｄ１Ｂと上偏光板５８の透過軸方向Ｄ７Ｂとのなす角度である。角度θ８Ｂは、０度以上５度以下であることが好ましい。
【００９３】
また、図２０の角度θ４Ａは、下配向膜８９の初期配向方向Ｄ２Ｂと上配向膜７４の初期配向方向Ｄ３Ｂとのなす角度である。角度θ４Ｂは、８０度以上９０度以下であることが好ましい。角度θ５Ｂは、下配向膜８９の初期配向方向Ｄ２Ｂと中偏光板５４の透過軸方向Ｄ４Ｂとのなす角度である。角度θ５Ｂは、８５度以上１００度以下であることが好ましい。角度θ９Ｂは、下配向膜８９の初期配向方向Ｄ２Ｂと画像表示パネル３０の初期配向方向Ｄ５Ｂ、Ｄ６Ｂとのなす角度である。角度θ９Ｂは、８５度以上１００度以下であることが好ましい。角度θ１０Ｂは、下配向膜８９の初期配向方向Ｄ２Ｂと上偏光板５８の透過軸方向Ｄ７Ｂとのなす角度である。角度θ１０Ｂは、０度以上１０度以下であることが好ましい。
【００９４】
また、図２０の角度θ６Ｂは、上配向膜７４の初期配向方向Ｄ３Ｂと中偏光板５４の透過軸方向Ｄ４Ｂとのなす角度である。角度θ６Ｂは、０度以上１０度以下であることが好ましい。角度θ１１Ｂは、上配向膜７４の初期配向方向Ｄ３Ｂと画像表示パネル３０の初期配向方向Ｄ５Ｂ、Ｄ６Ｂとのなす角度である。角度θ１１Ｂは、０度以上１０度以下であることが好ましい。角度θ１２Ｂは、上配向膜７４の初期配向方向Ｄ３Ｂと上偏光板５８の透過軸方向Ｄ７Ｂとのなす角度である。角度θ１２Ｂは、８５度以上９５度以下であることが好ましい。
【００９５】
また、図２０の角度θ１３Ｂは、中偏光板５４の透過軸方向Ｄ４Ｂと画像表示パネル３０の初期配向方向Ｄ５Ｂ、Ｄ６Ｂとのなす角度である。角度θ１３Ｂは、０度以上５度以下であることが好ましい。角度θ１４Ｂは、中偏光板５４の透過軸方向Ｄ４Ｂと上偏光板５８の透過軸方向Ｄ７Ｂとのなす角度である。角度θ１４Ｂは、９０度以上１００度以下であることが好ましい。
【００９６】
また、図２０の角度θ１５Ｂは、画像表示パネル３０の初期配向方向Ｄ５Ｂ、Ｄ６Ｂと上偏光板５８の透過軸方向Ｄ７Ｂとのなす角度である。角度θ１５Ｂは、９０度以上１００度以下であることが好ましい。
【００９７】
以上説明したように、第２実施形態に係る表示装置１Ｂは、第１実施形態と同様に、下偏光板５２の透過軸方向Ｄ１Ｂと調光パネル８０の下配向膜８９の初期配向方向Ｄ２Ｂとを平行でなくかつ直交させないことで、輝度の低下を抑制することができる。
【００９８】
さらに言えば、第２実施形態において、中偏光板５４の透過軸方向Ｄ４Ｂは、基準直交軸ＡＸ２に対して、時計回り及び反時計回りのうちの他方側（ここでは反時計回り方向Ｔ２）に傾いている。表示装置１Ｂは、このように、中偏光板５４の透過軸方向Ｄ４Ｂを下偏光板５２の透過軸方向Ｄ１と反対方向に傾けることで、輝度の低下を好適に抑制することができる。
【００９９】
また、画像表示パネル３０の初期配向方向Ｄ５Ｂ、Ｄ６Ｂは、基準直交軸ＡＸ２に対して、時計回り及び反時計回りのうちの他方側（ここでは反時計回り方向Ｔ２）に傾いており、上偏光板５８の透過軸方向Ｄ７Ｂは、基準軸ＡＸ１に対して、時計回り及び反時計回りのうちの一方側（ここでは時計回り方向Ｔ１）に傾いている。表示装置１Ｂは、このように、画像表示パネル３０の初期配向方向Ｄ５Ｂ、Ｄ６Ｂと上偏光板５８の透過軸方向Ｄ７Ｂとを傾けることで、輝度の低下を好適に抑制することができる。
【０１００】
図２１は、第２実施形態に係る表示装置の輝度の一例を示すグラフである。図２１の線分Ｌ１Ｚ１は、第１比較例に係る表示装置の視野角ごとの輝度を示している。線分Ｌ１Ｂは、第２実施形態に係る表示装置１Ｂの視野角ごとの輝度を示している。図２１に示すように、第２実施形態に係る表示装置１Ｂの輝度は、第１比較例の表示装置の輝度より高くなっている。
【０１０１】
図２２は、第２実施形態に係る表示装置のコントラストの一例を示すグラフである。図２２の線分Ｌ２Ｚ１は、第１比較例に係る表示装置の視野角ごとのコントラストであり、線分Ｌ２Ｂは、第２実施形態に係る表示装置１Ｂの視野角ごとのコントラストである。図２２に示すように、第２実施形態に係る表示装置１Ｂは、透過軸と初期配向方向とを傾けることで、コントラストを保ったまま、輝度を高くすることができる。
【０１０２】
（第２変形例）
次に、第２実施形態の変形例である第２変形例について説明する。第２変形例に係る表示装置１Ｃは、液晶素子ＬＣの捻じれ方向が、第２実施形態と異なる。第２変形例において、第２実施形態と構成が共通する箇所は、説明を省略する。
【０１０３】
図２３は、第２変形例に係る透過軸方向と初期配向方向とを説明する模式図である。図２３に示すように、第２変形例においては、調光パネル８０の液晶素子ＬＣの捻じれ方向が、Ｘ−Ｙ平面における反時計回り方向Ｔ２となるように、下配向膜８９の初期配向方向Ｄ２Ｃと上配向膜７４の初期配向方向Ｄ３Ｃとが設定されている。
【０１０４】
図２３に示すように、第２変形例における下偏光板５２の透過軸方向Ｄ１Ｃは、第１変形例における透過軸方向Ｄ１Ａ（図１５参照）と同方向である。第２変形例に係る調光パネル８０の下配向膜８９の初期配向方向Ｄ２Ｃは、第１変形例における初期配向方向Ｄ２Ａ（図１５参照）と同方向である。第２変形例に係る調光パネル８０の上配向膜７４の初期配向方向Ｄ３Ｃは、第１変形例における初期配向方向Ｄ３Ａ（図１５参照）と同方向である。すなわち、第２変形例においては、調光パネル８０の液晶素子ＬＣの捻じれ方向が第２実施形態と逆になることで、下偏光板５２の透過軸方向Ｄ１Ｃの傾く方向と、下配向膜８９の初期配向方向Ｄ２Ｃの傾く方向と、上配向膜７４の初期配向方向Ｄ３Ｃの傾く方向とについても、第２実施形態と逆になる。
【０１０５】
また、第２変形例における中偏光板５４の透過軸方向Ｄ４Ｃは、Ｘ−Ｙ平面において（Ｚ方向から見て）、基準直交軸ＡＸ２に対し、調光パネル８０の液晶素子ＬＣの捻じれ方向と同じ方向に、言い換えれば、下偏光板５２の透過軸方向Ｄ１Ｃが基準軸ＡＸ１に対して傾く方向と同じ方向に、傾いている。従って、第２変形例においては、中偏光板５４の透過軸方向Ｄ４Ｃは、基準直交軸ＡＸ２に対し、反時計回り方向Ｔ２に傾いている。すなわち、中偏光板５４の透過軸方向Ｄ４Ｃは、第２実施形態と同じ反時計回り方向Ｔ２に傾いているが、調光パネル８０の液晶素子ＬＣの捻じれ方向や下偏光板５２の透過軸方向Ｄ１Ｃの傾く方向に対する相対的な傾き方向は、第２実施形態と逆となっている。なお、中偏光板５４の透過軸方向Ｄ４Ｃは、基準直交軸ＡＸ２に沿った方向のベクトル成分が、基準軸ＡＸ１に沿った方向のベクトル成分よりも高くなっている。
【０１０６】
また、第２変形例における画像表示パネル３０の下配向膜２９の初期配向方向Ｄ５Ｃは、Ｘ−Ｙ平面において（Ｚ方向から見て）、基準直交軸ＡＸ２に対して、調光パネル８０の液晶素子ＬＣの捻じれ方向と同じ方向に、言い換えれば、下偏光板５２の透過軸方向Ｄ１Ｃが基準軸ＡＸ１に対して傾く方向と同じ方向に、傾いている。従って、第２変形例においては、下配向膜２９の初期配向方向Ｄ５Ｃは、基準直交軸ＡＸ２に対し、反時計回り方向Ｔ２に傾いている。すなわち、下配向膜２９の初期配向方向Ｄ５Ｃは、第２実施形態と同じ反時計回り方向Ｔ２に傾いているが、調光パネル８０の液晶素子ＬＣの捻じれ方向や下偏光板５２の透過軸方向Ｄ１Ｃの傾く方向に対する相対的な傾き方向は、第２実施形態と逆となっている。なお、下配向膜２９の初期配向方向Ｄ５Ｃは、基準直交軸ＡＸ２に沿った方向のベクトル成分が、基準軸ＡＸ１に沿った方向のベクトル成分よりも高くなっている。また、第２変形例における画像表示パネル３０の上配向膜３２の初期配向方向Ｄ６Ｃは、下配向膜２９の初期配向方向Ｄ５Ｃに沿っている。
【０１０７】
また、第２変形例における上偏光板５８の透過軸方向Ｄ７Ｃは、Ｘ−Ｙ平面において（Ｚ方向から見て）、基準軸ＡＸ１に対して、調光パネル８０の液晶素子ＬＣの捻じれ方向と反対方向に、言い換えれば、下偏光板５２の透過軸方向Ｄ１Ｃが基準軸ＡＸ１に対して傾く方向と反対方向に、傾いている。従って、第２変形例においては、上偏光板５８の透過軸方向Ｄ７Ｃは、基準軸ＡＸ１に対し、時計回り方向Ｔ１に傾いている。すなわち、上偏光板５８の透過軸方向Ｄ７Ｃは、第２実施形態と同じ時計回り方向Ｔ１に傾いているが、調光パネル８０の液晶素子ＬＣの捻じれ方向や下偏光板５２の透過軸方向Ｄ１Ｃの傾く方向に対する相対的な傾き方向は、第２実施形態と逆となっている。なお、上偏光板５８の透過軸方向Ｄ７Ｃは、基準軸ＡＸ１に沿った方向のベクトル成分が、基準直交軸ＡＸ２に沿った方向のベクトル成分よりも高くなっている。
【０１０８】
次に、透過軸方向及び初期配向方向の角度について説明する。中偏光板５４の透過軸方向Ｄ４Ｃが基準直交軸ＡＸ２に対して傾く角度の大きさと、画像表示パネル３０の初期配向方向Ｄ５Ｃ、Ｄ６Ｃが基準直交軸ＡＸ２に対し傾く角度の大きさと、上偏光板５８の透過軸方向Ｄ７Ｃが基準軸ＡＸ１に対して傾く角度の大きさとは、第２実施形態と同様である。
【０１０９】
図２４は、第２変形例における透過軸方向及び初期配向方向の関係を示す図である。図２４の角度θ１Ｃは、下偏光板５２の透過軸方向Ｄ１Ｃと下配向膜８９の初期配向方向Ｄ２Ｃとのなす角度である。すなわち、下配向膜８９の初期配向方向Ｄ２Ｃは、下偏光板５２の透過軸方向Ｄ１Ｃに対して、時計回り方向Ｔ１、すなわち調光パネル８０の液晶素子ＬＣの捻じれ方向と反対方向に、角度θ１Ｃだけ傾いている。角度θ１Ｃは、０度より大きく１０度以下であることが好ましい。また、角度θ２Ｃは、下偏光板５２の透過軸方向Ｄ１Ｃと上配向膜７４の初期配向方向Ｄ３Ｃとのなす角度である。角度θ２Ｃは、８５度以上９５度以下であることが好ましい。また、角度θ３Ｃは、下偏光板５２の透過軸方向Ｄ１Ｃと中偏光板５４の透過軸方向Ｄ４Ｃとのなす角度である。角度θ３Ｃは、８５度以上９５度以下であることが好ましい。また、角度θ７Ｃは、下偏光板５２の透過軸方向Ｄ１Ｃと画像表示パネル３０の初期配向方向Ｄ５Ｃ、Ｄ６Ｃとのなす角度である。角度θ７Ｃは、８５度以上９５度以下であることが好ましい。また、角度θ８Ｃは、下偏光板５２の透過軸方向Ｄ１Ｃと上偏光板５８の透過軸方向Ｄ７Ｃとのなす角度である。角度θ７Ｃは、０度以上１０度以下であることが好ましい。
【０１１０】
また、図２４の角度θ４Ｃは、下配向膜８９の初期配向方向Ｄ２Ｃと上配向膜７４の初期配向方向Ｄ３Ｃとのなす角度である。角度θ４Ｃは、９０度以上１００度以下であることが好ましい。角度θ５Ｃは、下配向膜８９の初期配向方向Ｄ２Ｃと中偏光板５４の透過軸方向Ｄ４Ｃとのなす角度である。角度θ５Ｃは、９０度以上１００度以下であることが好ましい。角度θ９Ｃは、下配向膜８９の初期配向方向Ｄ２Ｃと画像表示パネル３０の初期配向方向Ｄ５Ｃ、Ｄ６Ｃとのなす角度である。角度θ９Ｃは、９０度以上１００度以下であることが好ましい。角度θ１０Ｃは、下配向膜８９の初期配向方向Ｄ２Ｃと上偏光板５８の透過軸方向Ｄ７Ｃとのなす角度である。角度θ１０Ｃは、０度以上５度以下であることが好ましい。
【０１１１】
また、図２４の角度θ６Ｃは、上配向膜７４の初期配向方向Ｄ３Ｃと中偏光板５４の透過軸方向Ｄ４Ｃとのなす角度である。角度θ６Ｃは、０度以上５度以下であることが好ましい。角度θ１１Ｃは、上配向膜７４の初期配向方向Ｄ３Ｃと画像表示パネル３０の初期配向方向Ｄ５Ｃ、Ｄ６Ｃとのなす角度である。角度θ１１Ｃは、０度以上５度以下であることが好ましい。角度θ１２Ｃは、上配向膜７４の初期配向方向Ｄ３Ｃと上偏光板５８の透過軸方向Ｄ７Ｃとのなす角度である。角度θ１２Ｃは、９０度以上１００度以下であることが好ましい。
【０１１２】
また、図２４の角度θ１３Ｃは、中偏光板５４の透過軸方向Ｄ４Ｃと画像表示パネル３０の初期配向方向Ｄ５Ｃ、Ｄ６Ｃとのなす角度である。角度θ１３Ｃは、０度以上５度以下であることが好ましい。角度θ１４Ｃは、中偏光板５４の透過軸方向Ｄ４Ｃと上偏光板５８の透過軸方向Ｄ７Ｃとのなす角度である。角度θ１４Ｃは、９０度以上１００度以下であることが好ましい。
【０１１３】
また、図２４の角度θ１５Ｃは、画像表示パネル３０の初期配向方向Ｄ５Ｃ、Ｄ６Ｃと上偏光板５８の透過軸方向Ｄ７Ｃとのなす角度である。角度θ１５Ｃは、９０度以上１００度以下であることが好ましい。
【０１１４】
第２変形例に係る表示装置１Ｃは、第２実施形態に係る表示装置１Ｂと同様に、下偏光板５２の透過軸方向Ｄ１Ｃと調光パネル８０の下配向膜８９の初期配向方向Ｄ２Ｃとを平行でなくかつ直交させないことで、輝度の低下を抑制することができる。
【０１１５】
図２５は、第２変形例に係る表示装置の輝度の一例を示すグラフである。図２５の線分Ｌ１Ｚ２は、第２比較例に係る表示装置の視野角ごとの輝度を示している。線分Ｌ１Ｃは、第２変形例に係る表示装置１Ｃの視野角ごとの輝度を示している。図２５に示すように、第２変形例に係る表示装置１Ｃの輝度は、第２比較例の表示装置の輝度より高くなっている。
【０１１６】
図２６は、第２変形例に係る表示装置のコントラストの一例を示すグラフである。図２６の線分Ｌ２Ｚ２は、第２比較例に係る表示装置の視野角ごとのコントラストであり、線分Ｌ２Ｃは、第２変形例に係る表示装置１Ｃの視野角ごとのコントラストである。図２６に示すように、第２変形例に係る表示装置１Ｃは、透過軸と初期配向方向とを傾けることで、コントラストを保ったまま、輝度を高くすることができる。
【０１１７】
（第３実施形態）
次に、第３実施形態について説明する。第３実施形態に係る表示装置１Ｃは、中偏光板５４の透過軸方向、画像表示パネル３０の初期配向方向、及び上偏光板５８の初期配向方向の傾く方向が、第２実施形態とは異なる。第３実施形態において第２実施形態と構成が共通する箇所は、説明を省略する。
【０１１８】
図２７は、第３実施形態に係る透過軸方向と初期配向方向とを説明する模式図である。図２７に示すように、第３実施形態においては、調光パネル８０の液晶素子ＬＣの捻じれ方向が、Ｘ−Ｙ平面における時計回り方向Ｔ１となるように、下配向膜８９の初期配向方向Ｄ２と上配向膜７４の初期配向方向Ｄ３とが設定されている。すなわち、第３実施形態における液晶素子ＬＣの捻じれ方向は、第２実施形態と同じ方向である。
【０１１９】
第３実施形態における下偏光板５２の透過軸方向Ｄ１Ｄは、第２実施形態における透過軸方向Ｄ１Ｂと同方向である。第３実施形態に係る調光パネル８０の下配向膜８９の初期配向方向Ｄ２Ｄは、第２実施形態における初期配向方向Ｄ２Ｂと同方向である。第３実施形態に係る調光パネル８０の上配向膜７４の初期配向方向Ｄ３Ｄは、第２実施形態における初期配向方向Ｄ３Ｂと同方向である。
【０１２０】
一方、第３実施形態における中偏光板５４は、Ｘ−Ｙ平面において（Ｚ方向から見て）、透過軸方向Ｄ４Ｄが、基準直交軸ＡＸ２に対し、調光パネル８０の液晶素子ＬＣの捻じれ方向と同じ方向に、言い換えれば、下偏光板５２の透過軸方向Ｄ１Ｄが基準軸ＡＸ１に対して傾く方向と同じ方向に、傾いている。従って、第３実施形態においては、中偏光板５４の透過軸方向Ｄ４Ｄは、基準直交軸ＡＸ２に対し、時計回り方向Ｔ１に傾いている。なお、中偏光板５４の透過軸方向Ｄ４Ｄは、基準直交軸ＡＸ２に沿った方向のベクトル成分が、基準軸ＡＸ１に沿った方向のベクトル成分よりも高くなっている。すなわち、透過軸方向Ｄ４Ｄは、基準直交軸ＡＸ２に対する傾き角度が、４５度より小さい。
【０１２１】
また、第３実施形態における画像表示パネル３０の下配向膜２９は、Ｘ−Ｙ平面において（Ｚ方向から見て）、初期配向方向Ｄ５Ｄが、基準直交軸ＡＸ２に対して、調光パネル８０の液晶素子ＬＣの捻じれ方向と同じ方向に、言い換えれば、下偏光板５２の透過軸方向Ｄ１Ｄが基準軸ＡＸ１に対して傾く方向と同じ方向に、傾いている。従って、第３実施形態においては、下配向膜２９の初期配向方向Ｄ５Ｄは、基準直交軸ＡＸ２に対し、時計回り方向Ｔ１に傾いている。なお、下配向膜２９の初期配向方向Ｄ５Ｄは、基準直交軸ＡＸ２に沿った方向のベクトル成分が、基準軸ＡＸ１に沿った方向のベクトル成分よりも高くなっている。すなわち、透過軸方向Ｄ４Ｂは、基準直交軸ＡＸ２に対する傾き角度が、４５度より小さい。また、第３実施形態における画像表示パネル３０の上配向膜３２は、初期配向方向Ｄ６Ｄが、下配向膜２９の初期配向方向Ｄ５Ｄに沿っている。
【０１２２】
また、第３実施形態における上偏光板５８は、Ｘ−Ｙ平面において（Ｚ方向から見て）、透過軸方向Ｄ７Ｄが、基準軸ＡＸ１に対して、調光パネル８０の液晶素子ＬＣの捻じれ方向と反対方向に、言い換えれば、下偏光板５２の透過軸方向Ｄ１Ｄが基準軸ＡＸ１に対して傾く方向と反対方向に、傾いている。従って、第３実施形態においては、上偏光板５８の透過軸方向Ｄ７Ｄは、基準軸ＡＸ１に対し、反時計回り方向Ｔ２に傾いている。なお、上偏光板５８の透過軸方向Ｄ７Ｄは、基準軸ＡＸ１に沿った方向のベクトル成分が、基準直交軸ＡＸ２に沿った方向のベクトル成分よりも高くなっている。すなわち、透過軸方向Ｄ４Ｂは、基準軸ＡＸ１に対する傾き角度が、４５度より小さい。
【０１２３】
次に、透過軸方向及び初期配向方向の角度について説明する。中偏光板５４の透過軸方向Ｄ４Ｄが基準直交軸ＡＸ２に対して傾く角度の大きさと、画像表示パネル３０の初期配向方向Ｄ５Ｄ、Ｄ６Ｄが基準直交軸ＡＸ２に対し傾く角度の大きさと、上偏光板５８の透過軸方向Ｄ７Ｄが基準軸ＡＸ１に対して傾く角度の大きさとは、第２実施形態と同様である。
【０１２４】
図２８は、第３実施形態における透過軸方向及び初期配向方向の関係を示す図である。図２８の角度θ１Ｄは、下偏光板５２の透過軸方向Ｄ１Ｄと下配向膜８９の初期配向方向Ｄ２Ｄとのなす角度である。すなわち、下配向膜８９の初期配向方向Ｄ２Ｄは、下偏光板５２の透過軸方向Ｄ１Ｄに対して、反時計回り方向Ｔ２、すなわち調光パネル８０の液晶素子ＬＣの捻じれ方向と反対方向に、角度θ１Ｄだけ傾いている。角度θ１Ｄは、０度より大きく１０度以下であることが好ましい。また、角度θ２Ｄは、下偏光板５２の透過軸方向Ｄ１Ｄと上配向膜７４の初期配向方向Ｄ３Ｄとのなす角度である。角度θ２Ｄは、８５度以上９５度以下であることが好ましい。また、角度θ３Ｄは、下偏光板５２の透過軸方向Ｄ１Ｄと中偏光板５４の透過軸方向Ｄ４Ｄとのなす角度である。角度θ３Ｄは、８５度以上９５度以下であることが好ましい。また、角度θ７Ｄは、下偏光板５２の透過軸方向Ｄ１Ｄと画像表示パネル３０の初期配向方向Ｄ５Ｄ、Ｄ６Ｄとのなす角度である。角度θ７Ｄは、８５度以上９５度以下であることが好ましい。また、角度θ８Ｄは、下偏光板５２の透過軸方向Ｄ１Ｄと上偏光板５８の透過軸方向Ｄ７Ｄとのなす角度である。角度θ８Ｄは、０度以上１０度以下であることが好ましい。
【０１２５】
また、図２８の角度θ４Ｄは、下配向膜８９の初期配向方向Ｄ２Ｄと上配向膜７４の初期配向方向Ｄ３Ｄとのなす角度である。角度θ４Ｄは、８０度以上９０度以下であることが好ましい。角度θ５Ｄは、下配向膜８９の初期配向方向Ｄ２Ｄと中偏光板５４の透過軸方向Ｄ４Ｄとのなす角度である。角度θ５Ｄは、８０度以上９０度以下であることが好ましい。角度θ９Ｄは、下配向膜８９の初期配向方向Ｄ２Ｄと画像表示パネル３０の初期配向方向Ｄ５Ｄ、Ｄ６Ｄとのなす角度である。角度θ９Ｄは、８０度以上９０度以下であることが好ましい。角度θ１０Ｄは、下配向膜８９の初期配向方向Ｄ２Ｄと上偏光板５８の透過軸方向Ｄ７Ｄとのなす角度である。角度θ１０Ｄは、０度以上５度以下であることが好ましい。
【０１２６】
また、図２８の角度θ６Ｄは、上配向膜７４の初期配向方向Ｄ３Ｄと中偏光板５４の透過軸方向Ｄ４Ｄとのなす角度である。角度θ６Ｄは、０度以上５度以下であることが好ましい。角度θ１１Ｄは、上配向膜７４の初期配向方向Ｄ３Ｄと画像表示パネル３０の初期配向方向Ｄ５Ｄ、Ｄ６Ｄとのなす角度である。角度θ１１Ｄは、０度以上５度以下であることが好ましい。角度θ１２Ｄは、上配向膜７４の初期配向方向Ｄ３Ｄと上偏光板５８の透過軸方向Ｄ７Ｄとのなす角度である。角度θ１２Ｄは、８０度以上９０度以下であることが好ましい。
【０１２７】
また、図２８の角度θ１３Ｄは、中偏光板５４の透過軸方向Ｄ４Ｄと画像表示パネル３０の初期配向方向Ｄ５Ｄ、Ｄ６Ｄとのなす角度である。角度θ１３Ｄは、０度以上５度以下であることが好ましい。角度θ１４Ｄは、中偏光板５４の透過軸方向Ｄ４Ｄと上偏光板５８の透過軸方向Ｄ７Ｄとのなす角度である。角度θ１４Ｄは、８０度以上９０度以下であることが好ましい。
【０１２８】
また、図２８の角度θ１５Ｄは、画像表示パネル３０の初期配向方向Ｄ５Ｄ、Ｄ６Ｄと上偏光板５８の透過軸方向Ｄ７Ｄとのなす角度である。角度θ１５Ｄは、８０度以上９０度以下であることが好ましい。
【０１２９】
以上説明したように、第３実施形態に係る表示装置１Ｄは、第２実施形態と同様に、下偏光板５２の透過軸方向Ｄ１Ｄと調光パネル８０の下配向膜８９の初期配向方向Ｄ２Ｄとを平行でなくかつ直交させないことで、輝度の低下を抑制することができる。
【０１３０】
さらに言えば、第３実施形態において、中偏光板５４の透過軸方向Ｄ４Ｄは、基準直交軸ＡＸ２に対して、時計回り及び反時計回りのうちの一方側（ここでは時計回り方向Ｔ１）に傾いている。表示装置１Ｄは、このように、中偏光板５４の透過軸方向Ｄ４Ｂを下偏光板５２の透過軸方向Ｄ１と同じ方向に傾けることで、輝度の低下を好適に抑制することができる。
【０１３１】
また、画像表示パネル３０の初期配向方向Ｄ５Ｄ、Ｄ６Ｄは、基準直交軸ＡＸ２に対して、時計回り及び反時計回りのうちの一方側（ここでは時計回り方向Ｔ１）に傾いており、上偏光板５８の透過軸方向Ｄ７Ｄは、基準軸ＡＸ１に対して、時計回り及び反時計回りのうちの他方側（ここでは反時計回り方向Ｔ２）に傾いている。表示装置１Ｄは、このように、画像表示パネル３０の初期配向方向Ｄ５Ｄ、Ｄ６Ｄと上偏光板５８の透過軸方向Ｄ７Ｄとを傾けることで、輝度の低下を好適に抑制することができる。
【０１３２】
図２９は、第３実施形態に係る表示装置の輝度の一例を示すグラフである。図２９の線分Ｌ１Ｚ１は、第１比較例に係る表示装置の視野角ごとの輝度を示している。線分Ｌ１Ｄは、第３実施形態に係る表示装置１Ｄの視野角ごとの輝度を示している。図２９に示すように、第３実施形態に係る表示装置１Ｄの輝度は、第１比較例の表示装置の輝度より高くなっている。
【０１３３】
図３０は、第３実施形態に係る表示装置のコントラストの一例を示すグラフである。図３０の線分Ｌ２Ｚ１は、第１比較例に係る表示装置の視野角ごとのコントラストであり、線分Ｌ２Ｄは、第３実施形態に係る表示装置１Ｃの視野角ごとのコントラストである。図２９及び図３０に示すように、第３実施形態に係る表示装置１Ｃは、透過軸と初期配向方向とを傾けることで、コントラストを保ったまま、輝度を高くすることができる。
【０１３４】
（第３変形例）
次に、第３実施形態の変形例である第３変形例について説明する。第３変形例に係る表示装置１Ｅは、液晶素子ＬＣの捻じれ方向が、第３実施形態と異なる。第３変形例において、第３実施形態と構成が共通する箇所は、説明を省略する。
【０１３５】
図３１は、第３変形例に係る透過軸方向と初期配向方向とを説明する模式図である。図３１に示すように、第３変形例においては、調光パネル８０の液晶素子ＬＣの捻じれ方向が、Ｘ−Ｙ平面における反時計回り方向Ｔ２となるように、下配向膜８９の初期配向方向Ｄ２Ｅと上配向膜７４の初期配向方向Ｄ３Ｅとが設定されている。
【０１３６】
図３１に示すように、第３変形例における下偏光板５２の透過軸方向Ｄ１Ｅは、第２変形例における透過軸方向Ｄ１Ｃ（図２３参照）と同方向である。第３変形例に係る調光パネル８０の下配向膜８９の初期配向方向Ｄ２Ｅは、第２変形例における初期配向方向Ｄ２Ｃ（図２３参照）と同方向である。第３変形例に係る調光パネル８０の上配向膜７４の初期配向方向Ｄ３Ｅは、第２変形例における初期配向方向Ｄ３Ｃ（図２３参照）と同方向である。すなわち、第３変形例においては、調光パネル８０の液晶素子ＬＣの捻じれ方向が第３実施形態と逆になることで、下偏光板５２の透過軸方向Ｄ１Ｅの傾く方向と、下配向膜８９の初期配向方向Ｄ２Ｅの傾く方向と、上配向膜７４の初期配向方向Ｄ３Ｅの傾く方向とについても、第３実施形態と逆になる。
【０１３７】
また、第３変形例における中偏光板５４の透過軸方向Ｄ４Ｅは、Ｘ−Ｙ平面において（Ｚ方向から見て）、基準直交軸ＡＸ２に対し、調光パネル８０の液晶素子ＬＣの捻じれ方向と反対方向に、言い換えれば、下偏光板５２の透過軸方向Ｄ１Ｅが基準軸ＡＸ１に対して傾く方向と反対方向に、傾いている。従って、第３変形例においては、中偏光板５４の透過軸方向Ｄ４Ｅは、基準直交軸ＡＸ２に対し、時計回り方向Ｔ１に傾いている。すなわち、中偏光板５４の透過軸方向Ｄ４Ｅは、第３実施形態と同じ時計回り方向Ｔ１に傾いているが、調光パネル８０の液晶素子ＬＣの捻じれ方向や下偏光板５２の透過軸方向Ｄ１Ｅの傾く方向に対する相対的な傾き方向は、第３実施形態と逆となっている。なお、中偏光板５４の透過軸方向Ｄ４Ｅは、基準直交軸ＡＸ２に沿った方向のベクトル成分が、基準軸ＡＸ１に沿った方向のベクトル成分よりも高くなっている。
【０１３８】
また、第３変形例における画像表示パネル３０の下配向膜２９の初期配向方向Ｄ５Ｅは、Ｘ−Ｙ平面において（Ｚ方向から見て）、基準直交軸ＡＸ２に対して、調光パネル８０の液晶素子ＬＣの捻じれ方向と反対方向に、言い換えれば、下偏光板５２の透過軸方向Ｄ１Ｅが基準軸ＡＸ１に対して傾く方向と反対方向に、傾いている。従って、第３変形例においては、下配向膜２９の初期配向方向Ｄ５Ｅは、基準直交軸ＡＸ２に対し、時計回り方向Ｔ１に傾いている。すなわち、下配向膜２９の初期配向方向Ｄ５Ｅは、第３実施形態と同じ時計回り方向Ｔ１に傾いているが、調光パネル８０の液晶素子ＬＣの捻じれ方向や下偏光板５２の透過軸方向Ｄ１Ｅの傾く方向に対する相対的な傾き方向は、第３実施形態と逆となっている。なお、下配向膜２９の初期配向方向Ｄ５Ｅは、基準直交軸ＡＸ２に沿った方向のベクトル成分が、基準軸ＡＸ１に沿った方向のベクトル成分よりも高くなっている。また、第３変形例における画像表示パネル３０の上配向膜３２の初期配向方向Ｄ６Ｅは、下配向膜２９の初期配向方向Ｄ５Ｅに沿っている。
【０１３９】
また、第３実施形態における上偏光板５８の透過軸方向Ｄ７Ｅは、Ｘ−Ｙ平面において（Ｚ方向から見て）、基準軸ＡＸ１に対して、調光パネル８０の液晶素子ＬＣの捻じれ方向と同じ方向に、言い換えれば、下偏光板５２の透過軸方向Ｄ１Ｃが基準軸ＡＸ１に対して傾く方向と同じ方向に、傾いている。従って、第３変形例においては、上偏光板５８の透過軸方向Ｄ７Ｅは、基準軸ＡＸ１に対し、反時計回り方向Ｔ２に傾いている。すなわち、上偏光板５８の透過軸方向Ｄ７Ｅは、第３実施形態と同じ反時計回り方向Ｔ２に傾いているが、調光パネル８０の液晶素子ＬＣの捻じれ方向や下偏光板５２の透過軸方向Ｄ１Ｅの傾く方向に対する相対的な傾き方向は、第３実施形態と逆となっている。なお、上偏光板５８の透過軸方向Ｄ７Ｅは、基準軸ＡＸ１に沿った方向のベクトル成分が、基準直交軸ＡＸ２に沿った方向のベクトル成分よりも高くなっている。
【０１４０】
次に、透過軸方向及び初期配向方向の角度について説明する。中偏光板５４の透過軸方向Ｄ４Ｅが基準直交軸ＡＸ２に対して傾く角度の大きさと、画像表示パネル３０の初期配向方向Ｄ５Ｅ、Ｄ６Ｅが基準直交軸ＡＸ２に対し傾く角度の大きさと、上偏光板５８の透過軸方向Ｄ７Ｅが基準軸ＡＸ１に対して傾く角度の大きさとは、第３実施形態と同じである。
【０１４１】
図３２は、第３変形例における透過軸方向及び初期配向方向の関係を示す図である。図２４の角度θ１Ｅは、下偏光板５２の透過軸方向Ｄ１Ｅと下配向膜８９の初期配向方向Ｄ２Ｅとのなす角度である。すなわち、下配向膜８９の初期配向方向Ｄ２Ｅは、下偏光板５２の透過軸方向Ｄ１Ｅに対して、時計回り方向Ｔ１、すなわち調光パネル８０の液晶素子ＬＣの捻じれ方向と反対方向に、角度θ１Ｅだけ傾いている。角度θ１Ｅは、０度より大きく１０度以下であることが好ましい。また、角度θ２Ｅは、下偏光板５２の透過軸方向Ｄ１Ｅと上配向膜７４の初期配向方向Ｄ３Ｅとのなす角度である。角度θ２Ｅは、８５度以上９５度以下であることが好ましい。また、角度θ３Ｅは、下偏光板５２の透過軸方向Ｄ１Ｅと中偏光板５４の透過軸方向Ｄ４Ｅとのなす角度である。角度θ３Ｅは、８０度以上９０度以下であることが好ましい。また、角度θ７Ｅは、下偏光板５２の透過軸方向Ｄ１Ｅと画像表示パネル３０の初期配向方向Ｄ５Ｅ、Ｄ６Ｅとのなす角度である。角度θ７Ｅは、８０度以上９０度以下であることが好ましい。また、角度θ８Ｅは、下偏光板５２の透過軸方向Ｄ１Ｅと上偏光板５８の透過軸方向Ｄ７Ｅとのなす角度である。角度θ８Ｅは、０度以上５度以下であることが好ましい。
【０１４２】
また、図３２の角度θ４Ｅは、下配向膜８９の初期配向方向Ｄ２Ｅと上配向膜７４の初期配向方向Ｄ３Ｅとのなす角度である。角度θ４Ｅは、９０度以上１００度以下であることが好ましい。角度θ５Ｅは、下配向膜８９の初期配向方向Ｄ２Ｅと中偏光板５４の透過軸方向Ｄ４Ｅとのなす角度である。角度θ５Ｅは、８５度以上９５度以下であることが好ましい。角度θ９Ｅは、下配向膜８９の初期配向方向Ｄ２Ｅと画像表示パネル３０の初期配向方向Ｄ５Ｅ、Ｄ６Ｅとのなす角度である。角度θ９Ｅは、８５度以上９５度以下であることが好ましい。角度θ１０Ｅは、下配向膜８９の初期配向方向Ｄ２Ｅと上偏光板５８の透過軸方向Ｄ７Ｅとのなす角度である。角度θ１０Ｅは、０度以上１０度以下であることが好ましい。
【０１４３】
また、図３２の角度θ６Ｅは、上配向膜７４の初期配向方向Ｄ３Ｅと中偏光板５４の透過軸方向Ｄ４Ｅとのなす角度である。角度θ６Ｅは、０度以上１０度以下であることが好ましい。角度θ１１Ｅは、上配向膜７４の初期配向方向Ｄ３Ｅと画像表示パネル３０の初期配向方向Ｄ５Ｅ、Ｄ６Ｅとのなす角度である。角度θ１１Ｅは、０度以上１０度以下であることが好ましい。角度θ１２Ｅは、上配向膜７４の初期配向方向Ｄ３Ｅと上偏光板５８の透過軸方向Ｄ７Ｅとのなす角度である。角度θ１２Ｅは、８５度以上９５度以下であることが好ましい。
【０１４４】
また、図３２の角度θ１３Ｅは、中偏光板５４の透過軸方向Ｄ４Ｅと画像表示パネル３０の初期配向方向Ｄ５Ｅ、Ｄ６Ｅとのなす角度である。角度θ１３Ｅは、０度以上５度以下であることが好ましい。角度θ１４Ｅは、中偏光板５４の透過軸方向Ｄ４Ｅと上偏光板５８の透過軸方向Ｄ７Ｅとのなす角度である。角度θ１４Ｅは、８０度以上９０度以下であることが好ましい。
【０１４５】
また、図３２の角度θ１５Ｅは、画像表示パネル３０の初期配向方向Ｄ５Ｅ、Ｄ６Ｅと上偏光板５８の透過軸方向Ｄ７Ｅとのなす角度である。角度θ１５Ｅは、８０度以上９０度以下であることが好ましい。
【０１４６】
第３変形例に係る表示装置１Ｅは、第３実施形態に係る表示装置１Ｄと同様に、下偏光板５２の透過軸方向Ｄ１Ｅと調光パネル８０の下配向膜８９の初期配向方向Ｄ２Ｅとを平行でなくかつ直交させないことで、輝度の低下を抑制することができる。
【０１４７】
図３３は、第３変形例に係る表示装置の輝度の一例を示すグラフである。図３３の線分Ｌ１Ｚ２は、第２比較例に係る表示装置の視野角ごとの輝度を示している。線分Ｌ１Ｅは、第３変形例に係る表示装置１Ｅの視野角ごとの輝度を示している。図３３に示すように、第３変形例に係る表示装置１Ｅの輝度は、第２比較例の表示装置の輝度より高くなっている。
【０１４８】
図３４は、第３変形例に係る表示装置のコントラストの一例を示すグラフである。図３４の線分Ｌ２Ｚ２は、第２比較例に係る表示装置の視野角ごとのコントラストであり、線分Ｌ２Ｅは、第３変形例に係る表示装置１Ｅの視野角ごとのコントラストである。図３３及び図３４に示すように、第３変形例に係る表示装置１Ｅは、透過軸と初期配向方向とを傾けることで、コントラストを保ったまま、輝度を高くすることができる。
【０１４９】
また、本実施形態において述べた態様によりもたらされる他の作用効果について本明細書記載から明らかなもの、又は当業者において適宜想到し得るものについては、当然に本発明によりもたらされるものと解される。
【符号の説明】
【０１５０】
１  表示装置
１０  信号処理部
２０  表示部
２９、８９  下配向膜
３０  画像表示パネル
３２、７４  上配向膜
５０  光源部
５２  下偏光板
５４  中偏光板
５６  接着層
５８  上偏光板
７０  調光部
８０  調光パネル
８１  第１電極
８２  第２電極
Ｄ１、Ｄ４、Ｄ７  透過軸方向
Ｄ２、Ｄ３、Ｄ５、Ｄ６  初期配向方向
ＬＣ１、ＬＣ２  液晶層
【図１】
2020052363.tif 000003
【図２】
2020052363.tif 000004
【図３】
2020052363.tif 000005
【図４】
2020052363.tif 000006
【図５】
2020052363.tif 000007
【図６】
2020052363.tif 000008
【図７】
2020052363.tif 000009
【図８】
2020052363.tif 000010
【図９】
2020052363.tif 000011
【図１０】
2020052363.tif 000012
【図１１】
2020052363.tif 000013
【図１２】
2020052363.tif 000014
【図１３】
2020052363.tif 000015
【図１４】
2020052363.tif 000016
【図１５】
2020052363.tif 000017
【図１６】
2020052363.tif 000018
【図１７】
2020052363.tif 000019
【図１８】
2020052363.tif 000020
【図１９】
2020052363.tif 000021
【図２０】
2020052363.tif 000022
【図２１】
2020052363.tif 000023
【図２２】
2020052363.tif 000024
【図２３】
2020052363.tif 000025
【図２４】
2020052363.tif 000026
【図２５】
2020052363.tif 000027
【図２６】
2020052363.tif 000028
【図２７】
2020052363.tif 000029
【図２８】
2020052363.tif 000030
【図２９】
2020052363.tif 000031
【図３０】
2020052363.tif 000032
【図３１】
2020052363.tif 000033
【図３２】
2020052363.tif 000034
【図３３】
2020052363.tif 000035
【図３４】
2020052363.tif 000036